(57)【要約】【課題】Ａ−ＥＵＴＲＡの複数のサービスを利用する際、追加のシグナリング量を低減し、受信処理の負荷の低減をする。【解決手段】無線通信システムは、無線により通信を行う基地局装置及び移動局装置を有し、移動局装置は、複数の送信方式を一意に識別する識別子と、該識別子に対応付けられた前記送信方式と、該送信方式に対応付けられた無線リソースを示す情報とを対応付けて記憶するフレーム構成記憶部と、前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信されたデータを受信する受信信号処理部とを備える。【選択図】図３
2010206285.tif 000002
【特許請求の範囲】
【請求項１】
基地局装置と移動局装置との間で無線により通信を行う無線通信システムであって、
前記基地局装置は、
前記移動局装置にデータを送信する複数の送信方法と、単一周波数ネットワーク（ＭＢＳＦＮ）サービスを提供する際のサービスエリアを示す識別子との対応付けを記憶する利用用途テーブルと、
前記複数の送信方法それぞれに対応付けられた無線リソースを示す情報と、前記識別子との対応付けを示す情報を前記移動局装置に送信すると共に、前記複数の送信方式それぞれに対応付けられた前記無線リソースを用いて前記識別子と前記データとを前記移動局装置に送信する送信部と、を備え、
前記移動局装置は、
前記識別子と、該識別子に対応付けられた前記送信方式と、該送信方式に対応付けられた前記無線リソースを示す情報とを対応付けて記憶するフレーム構成記憶部と、
前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信された前記データを受信する受信信号処理部と、を備える
ことを特徴とする無線通信システム。
【請求項２】
前記複数の送信方式に対応付けられた無線リソースと対応付けられた識別子が、前記基地局装置から前記移動局装置に報知される
ことを特徴とする請求項１に記載の無線通信システム。
【請求項３】
移動局装置と無線により通信を行う基地局装置であって、
前記移動局装置にデータを送信する複数の送信方式と、該送信方法を一意に識別する識別子を対応付けて予め記憶する利用用途テーブルと、
前記複数の送信方式それぞれに対応付けられた無線リソースを示す情報と、前記識別子との対応付けを示す情報を前記移動局装置に送信すると共に、前記複数の送信方式に対応付けられた前記無線リソースを用いて前記識別子と前記データとを前記移動局装置に送信する送信部と、
を備える
ことを特徴とする基地局装置。
【請求項４】
基地局装置と無線により通信を行う移動局装置であって、
複数の送信方式を一意に識別する識別子と、該識別子に対応付けられた前記送信方式と、該送信方式に対応付けられた無線リソースを示す情報とを対応付けて記憶するフレーム構成記憶部と、
前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信されたデータを受信する受信信号処理部と
を備える
ことを特徴とする移動局装置。
【請求項５】
基地局装置と移動局装置との間で無線により通信を行う無線通信システムにおける無線通信方法であって、
前記基地局装置が、前記移動局装置にデータを送信する複数の送信方法と、単一周波数ネットワーク（ＭＢＳＦＮ）サービスを提供する際のサービスエリアを示す識別子との対応付けを記憶する過程と、
前記基地局装置が、前記複数の送信方法それぞれに対応付けられた無線リソースを示す情報と、前記識別子との対応付けを示す情報を前記移動局装置に送信すると共に、前記複数の送信方式それぞれに対応付けられた前記無線リソースを用いて前記識別子と前記データとを前記移動局装置に送信する過程と、
前記移動局装置が、前記識別子と、該識別子に対応付けられた前記送信方式と、該送信方式に対応付けられた前記無線リソースを示す情報とを対応付けて記憶する過程と、
前記移動局装置が、前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信された前記データを受信する過程と
を有することを特徴とする無線通信方法。
【発明の詳細な説明】
【技術分野】
【０００１】
本発明は、主に無線通信システム、基地局装置、移動局装置、及び、無線通信方法に関する。
【背景技術】
【０００２】
セルラ移動通信の第三世代（3rd generation；以下、「３Ｇ」という）無線アクセス方式の進化（Evolved Universal Terrestrial Radio Access；以下、「ＥＵＴＲＡ」という）、及び、３Ｇネットワークの進化（Evolved Universal Terrestrial Radio Access Network；以下、「ＥＵＴＲＡＮ」という）が、３ＧＰＰ（3rd Generation Partnership Project；第三世代パートナーシッププロジェクト）において検討されている。
また、３ＧＰＰにおいて、セルラ移動通信の第四世代（4th  Generation；以下、「４Ｇ」という）の無線アクセス方式（Advanced EUTRA；以下、「Ａ−ＥＵＴＲＡ」という、あるいは、「ＬＴＥ−Ａ」という）、及び、４Ｇネットワーク（Advanced EUTRAN；以下、「Ａ−ＥＵＴＲＡＮ」という）の検討が開始された。
【０００３】
Ａ−ＥＵＴＲＡでは、ＥＵＴＲＡよりも広い周波数帯域に対応すること、及び、ＥＵＴＲＡとの互換性が検討されており、Ａ−ＥＵＴＲＡで使用する周波数帯域を複数に分割した周波数帯域（以下、「コンポーネントキャリア」と称す）の各々において、Ａ−ＥＵＴＲＡの基地局装置がＥＵＴＲＡの移動局装置と通信を行うことが提案されている。つまり、複数のコンポーネントキャリアのそれぞれがＥＵＴＲＡと同じ構成のチャネルを送信できる機能を持つことが提案され、検討されている。
なお、ＥＵＴＲＡでは、下りリンクの通信方式として、マルチパス干渉に強く、高速伝送に適したＯＦＤＭＡ（Orthogonal Frequency Division Multiplexing Access；直交周波数分割多重）方式を採用することが決まっている。
【０００４】
図８は、ＥＵＴＲＡにおける無線フレームの構成の一例を示す図である。図８において、横軸方向は、時間軸を示し、縦軸方向は、周波数軸を示している。無線フレームは、例えば、周波数軸方向に１２サブキャリア（ｓｃ）と、時間軸方向に複数のＯＦＤＭシンボルの集合であるスロットを一単位として構成される。１２サブキャリアと１スロット長で区切られた割り当ての単位となる領域をリソースブロックと呼ぶ。サブフレームは、２つのスロットから構成され、更に、無線フレームは、１０個のサブフレームから構成される。周波数方向には複数のリソースブロックが連続して配置される。
【０００５】
また、例えば、基地局装置から移動局装置に送信する下りリンクの通信帯域幅ＢＷを２０ＭＨｚとし、ガードバンドに２ＭＨｚが割り当てられ、リソースブロックの帯域幅を１８０ｋＨｚとした場合、１つの無線フレームには、周波数方向に、１００リソースブロックが配置され、時間軸方向には２０リソースブロックが配置される。すなわち、１無線フレームは、２０００個のリソースブロックから構成される。ここで、ガードバンドとは、通信帯域の両端に設けられ、隣接する帯域への輻射を防止するために信号が送信されない周波数帯域のことである。
【０００６】
図８において、＃０、＃５サブフレームには、移動局装置が、基地局装置との同期をとるために用いるプライマリ同期チャネル（Primary Synchronization Channel；Ｐ−ＳＣＨ）、セカンダリ同期チャネル（Secondary Synchronization Channel;Ｓ−ＳＣＨ）、及び、プライマリ報知チャネル（Primary Broadcast Channel;Ｐ−ＢＣＨ）が含まれ、移動局装置は、予め記憶しているＰ−ＳＣＨの複数系列のレプリカ信号と、受信信号との時間領域での相関を検出することによりスロット同期を確立する（ステップ１）。
【０００７】
更に、移動局装置は、受信信号とＳ−ＳＣＨの複数のレプリカ信号と間で、時間領域あるいは周波数領域での相関をとり、得られたＳ−ＳＣＨの系列によって無線フレームの同期を確立すると共に、先に検出したＰ−ＳＣＨの系列とあわせて基地局装置を識別するための物理セルＩＤ（Identification：識別情報）  Ｎｉｄ（０≦Ｎｉｄ≦５０３）を特定する（ステップ２）。上述の２つのステップ（ステップ１及びステップ２）の処理をセルサーチ手順と呼ぶ。
【０００８】
その後、接続の際に、移動局装置は、Ｐ−ＢＣＨを復調して、送信アンテナポート数などの主要なパラメータを取得し、その他の報知情報を下りリンク共有チャネル（Downlink Shared Channel;ＤＬ−ＳＣＨ）に配置される動的報知チャネル（Dynamic Broadcast Channel;Ｄ−ＢＣＨ）から取得する。Ｄ−ＢＣＨに含まれる情報は、情報の種類により複数のブロックに分けられ、それぞれＳＩＢ（System Information Block;システム情報ブロック）と呼ばれる単位で、ブロックごとに個別の周期で報知される。
【０００９】
次に、図９は、リソースブロックにおける参照信号、及び、下りリンク制御信号の配置の一例を示した概略図である。ここでは、１スロットには７つのＯＦＤＭシンボルが含まれ、１サブフレームには１４のＯＦＤＭシンボルが含まれる。サブフレームにおいて、先頭から３つのＯＦＤＭシンボルには、下りリンク制御チャネル（Physical Downlink Control Channel;ＰＤＣＣＨ）が配置される。１サブフレームの先導のＯＦＤＭシンボルには、ＰＤＣＣＨが配置され、制御フォーマット指示チャネル（Physical Control Format Indicator Channel;ＰＣＦＩＣＨ）により、１から４の間で幾つのＯＦＤＭシンボルにＰＤＣＣＨを配置するかを指定する。
【００１０】
また、リソースブロックには、復調、及び、受信品質測定に必要な参照信号（Downlink Reference Signal;ＤＬ−ＲＳ）が含まれる。参照信号のサブキャリア配置は、前述の物理セルＩＤによって一意に定められる。移動局装置は、参照信号を用いて受信品質の測定や、ＰＤＣＣＨに対して伝播路補償を行い、ＰＤＣＣＨにより自局宛のデータ割り当てを検出すると、当該ＰＤＣＣＨ以降のＯＤＦＭシンボルを復調して、自局宛のデータを取得する。
【００１１】
ところで、Ａ−ＥＵＴＲＡでは、マルチメディアの同報通信サービス（Multimedia Broadcast/Multicast Service;ＭＢＭＳ）の実施が検討されている。ＭＢＭＳは、複数セルに亘る広範囲なエリアにおいて同一情報の同報サービスを行うことが想定される。これにより、ＭＢＭＳの送信過程でセル間を移動する移動局装置が周波数切り替えを行うことによるサービスの中断が生じることを減らすために、単一周波数ネットワーク（Single Frequency Network;ＳＦＮ）の搬送波でＭＢＭＳを送信するＭＢＳＦＮ（Multimedia Broadcast Single Frequency Network；マルチメディア同報通信単一周波数ネットワーク）の仕組みが既にＥＵＴＲＡの仕様化段階で検討されている。
【００１２】
ＥＵＴＲＡでは、ＭＢＳＦＮの送信用に物理マルチキャストチャネル（Physical Multicast Channel；ＰＭＣＨ）が用意され、ＰＭＣＨの配置されるサブフレームの情報ブロックＳＩＢの１つであるＳＩＢ２で報知される仕組みとなっている（非特許文献１）。
【００１３】
物理マルチキャストチャネルＰＭＣＨを用意する場合でも、先頭から２ＯＦＤＭシンボルまでの参照信号が通常の送信と同じ構造で送られる。また、ＰＤＣＣＨも配置される。残りのＯＦＤＭシンボルは、ＭＢＭＳのために使用されるが、ＥＵＴＲＡにおいてＭＢＭＳを用いた通信を行わない場合、ＥＵＴＲＡの仕様に準拠した移動局装置は、ＭＢＭＳに使用される残りのＯＦＤＭシンボルによる通信をせずに、残りのＯＦＤＭシンボルを無視することになる（非特許文献２）。
このように、Ａ−ＥＵＴＲＡにおける、ＭＢＳＦＮのサブフレームでは、先頭から２ＯＦＤＭシンボルに含まれる参照信号のみを用いてＰＤＣＣＨの伝播路補償や、受信品質測定を行うことが検討されている。
【００１４】
また、非特許文献３では、ＭＢＳＦＮについて階層的な報知の仕組みの導入が記載されている。まず、移動局装置は、動的報知チャネルＤ−ＢＣＨで送信される報知制御チャネル（Broadcast Control Channel；ＢＣＣＨ）より、プライマリマルチキャスト制御チャネル（Primary Multicast Control Channel；Ｐ−ＭＣＣＨ）の位置を取得する。Ｐ−ＭＣＣＨには、セカンダリマルチキャスト制御チャネル（Secondary Multicast Channel；Ｓ−ＭＣＣＨ）が存在する場合、Ｓ−ＭＣＣＨが配置される位置情報が含まれる。また、複数のＭＢＳＦＮエリアが重複しているセルでは、それぞれのＭＢＳＦＮエリアに対応したＳ−ＭＣＣＨを用いてそれぞれのＭＢＳＦＮエリア情報を報知する。
【００１５】
また、非特許文献４では、複数のＭＢＭＳのサービスエリアが存在する場合に、各々のサービスエリアの識別子であるＳＦＡ  ＩＤ（Single Frequency Network Area Identify；単一周波数ネットワークエリア識別子）を用いて、ＳＦＡごとの使用サブフレームを指定する方法についての検討がなされている。
図１０は、複数のＭＢＭＳのサービスエリアが存在する場合、ＢＣＣＨ、Ｐ−ＭＣＣＨ、及び、Ｓ−ＭＣＣＨを用いたサブフレームの割り当ての一例を示した概略図である。図１０に示すように、移動局装置は、ＢＣＣＨによりＰ−ＭＣＣＨが配置されるサブフレームの位置を検出し、検出したＰ−ＭＣＣＨによりＳＦＡ  ＩＤに応じたＳ−ＭＣＣＨの配置されるサブフレームの位置を検出する。更に、移動局装置は、検出したＳ−ＭＣＣＨにより所望のＳＦＡ  ＩＤに対応したＭＢＭＳの信号が配置されたサブフレームの位置を検出して、当該ＭＢＭＳの信号を受信する。
【００１６】
更に、Ａ−ＥＵＴＲＡでは、移動局装置の通信可能範囲（カバレッジ）の拡大や、通信容量の増大を目的として、リレー局装置を用いることが検討されている。リレー局装置は、移動局装置と基地局装置との間を伝達する信号のレイヤや、シグナリング方法などにより様々な形態がある。基本的には、リレー局装置は、通常セルの基地局装置と無線リンクにより通信を行い、更に、移動局装置と通信を行うことにより、移動局装置と基地局装置との間の通信を中継する。
【００１７】
上述のリレー局装置に関しては、ＥＵＴＲＡの仕様で規定されていないため、基地局装置とリレー局装置との間の通信（無線リンク）をＡ−ＥＵＴＲＡで用いる周波数帯域内で用いる場合、ＥＵＴＲＡの移動局装置が、基地局装置とリレー局装置との間において送信される信号に対して受信を試みることにより通信に支障をきたす可能性がある。そこで、ＥＵＴＲＡの移動局装置が、Ａ−ＥＵＴＲＡの仕様に準拠した基地局装置及びリレー局装置の間において送信される信号を受信しないように、無線フレーム構造のバックワードコンパチビリティ（後方互換性とも称す）を保つ必要がある。
【００１８】
非特許文献５では、上述のバックワードコンパチビリティを保つため、ＭＢＳＦＮサブフレームをリレー局と基地局間の通信に利用する提案がなされている。すなわち、ＥＵＴＲＡの移動局装置がＭＢＳＦＮサブフレームの下り制御チャネルＰＤＣＣＨを復調するが、例えば、先頭の２ＯＦＤＭシンボルの参照信号のみを利用するので、ＭＢＳＦＮサブフレームをＡ−ＥＵＴＲＡの仕様に準拠した基地局装置及びリレー局装置間の通信に用いても、バックワードコンパチビリティを保つことができる。
【００１９】
更に、Ａ−ＥＵＴＲＡでは、通信容量の増大のために、アンテナ数を増やして、送信ダイバーシチやＭＩＭＯ（Multi Input Multi Output；多入力多出力）を行うことが提案されており、アンテナ数の増加に対しては、前述のリレー局装置と同様に、ＥＵＴＲＡでは規定されていないので、ＥＵＴＲＡの移動局装置に対して無線フレーム構造のバックワードコンパチビリティを保つ必要がある。
非特許文献６では、ＥＵＴＲＡでは規定されていない、８本送信アンテナのフレーム構造実現に対して、ＭＢＳＦＮサブフレームを用いた提案がなされている。
【００２０】
非特許文献６の提案では、ＭＢＳＦＮサブフレームを次の４種類に分類している。
タイプ１：４送信アンテナのＥＵＴＲＡサブフレーム
タイプ２：８送信アンテナのＥＵＴＲＡ互換サブフレーム（ＥＵＴＲＡ移動局からは通常のサブフレームに見えるが、Ａ−ＥＵＴＲＡ用にＰＤＣＣＨの一部に、追加された４本の送信アンテナの参照信号が含まれる）
タイプ３：Ａ−ＥＵＴＲＡサブフレーム
タイプ４：ＭＢＳＦＮのサブフレーム
【００２１】
基地局装置は、ＤＬ−ＳＣＨに配置されるＤ−ＢＣＨにより報知されるＢＣＣＨを通じて、タイプ３、４のサブフレームであるか、あるいは、タイプ１、２のサブフレームであるかを識別するシステム情報ブロック（ＳＩＢ）を移動局装置に送信し、更に、Ａ−ＥＵＴＲＡ専用のＢＣＣＨを通じてＡ−ＥＵＴＲＡの仕様に基づく移動局装置のみが取得する報知情報としてタイプ１とタイプ２、タイプ３とタイプ４を識別する情報を報知する。
上記処理により、ＥＵＴＲＡの移動局装置はタイプ１とタイプ２とのサブフレームを区別することなく復調することができ、Ａ−ＥＵＴＲＡの移動局装置は、アンテナ数を増やしたサブフレーム（タイプ２、タイプ３又はタイプ４）を識別することで、各タイプに応じた復調を行う提案がなされている。
【００２２】
図１１は、Ａ−ＥＵＴＲＡで提案されている基地局装置（基地局Ａ）及びＡ−ＥＵＴＲＡの仕様に準拠した移動局装置（移動局２）と、ＥＵＴＲＡの仕様に準拠した移動局装置（移動局１）との動作の一例を示したシーケンス図である。ここでは、非特許文献６における８本送信アンテナシグナリング手法の一例を示す。
基地局装置（基地局Ａ）のセルエリア内に、ＥＵＴＲＡの移動局装置（移動局１）とＡ−ＥＵＴＲＡの移動局装置（移動局２）とが位置する場合を説明する。
【００２３】
基地局Ａから送信されるＥＵＴＲＡ互換のＢＣＣＨを移動局１、２がそれぞれ受信する。ＢＣＣＨに含まれるシステム情報ブロック（ＳＩＢ）の１つであるＳＩＢ２においてＭＢＳＦＮサブフレーム位置が報知される（Ｓ１４１）。
次に、移動局２は、上述のタイプ１〜４を識別する情報が含まれるＡ−ＥＵＴＲＡ専用のＢＣＣＨを取得する（Ｓ１４２）。
【００２４】
続いて、基地局Ａがタイプ１又はタイプ２のサブフレームを送信すると、移動局１は、タイプ１又はタイプ２のサブフレームを受信し、受信したサブフレームに含まれる参照信号を用いて伝播路推定や受信品質測定を行い、ＰＤＣＣＨを復調して、自局宛のデータの有無や上りリンクの割り当てなどを検出する（Ｓ１４３，Ｓ１４４）。
また、基地局Ａがタイプ３又はタイプ４のサブフレームを送信すると、移動局１は、タイプ３又はタイプ４のＭＢＳＦＮサブフレームを受信し、受信したＭＢＳＦＮのサブフレームの先頭の２ＯＦＤＭシンボルに配置された参照信号を用いて伝播路推定や受信品質測定を行い、ＰＤＣＣＨを復調して、自局宛の上りリンクの割り当てなどを確認する（Ｓ１４５，Ｓ１４６）。
【００２５】
一方、移動局２は、受信したＢＣＣＨに含まれるＳＩＢ２と、Ａ−ＥＵＴＲＡ専用のＢＣＣＨとにより識別したそれぞれのタイプに応じたサブフレームに配置された参照信号を用いて伝播路推定や受信品質測定を行い、ＰＤＣＣＨを復調して、自局宛のデータの有無や上りリンクの割り当てなどを確認する（Ｓ１４３、Ｓ１４４、Ｓ１４５、Ｓ１４６）。
【先行技術文献】
【非特許文献】
【００２６】
【非特許文献１】3GPP TS36.331,V8.3.0（2008-09)、Technical Specification Group Radio Access Network;Evolved Universal Terrestrial Radio Access （E-UTRA);Radio Resource Control （RRC);Protocol specification（Release 8).http://www.3gpp.org/ftp/Specs/2008-09/Rel-8/36_series/36331-830.zip
【非特許文献２】3GPP TS36.211,V8.4.0（2008-09)、Technical Specification Group Radio Access Network;Evolved Universal Terrestrial Radio Access （E-UTRA);Physical Channels and Modulation（Release 8).http://www.3gpp.org/ftp/Specs/2008-09/Rel-8/36_series/36211-840.zip
【非特許文献３】3GPP TSG RAN WG2 #59,R2-074444,“Draft3 minutes of the 59 TSG-RAN WG2 meeting”,3GPP support team
【非特許文献４】3GPP TSG RAN WG2 #59,R2-073525,“ＭＣＣＨ design and Sub-frame allocations”,Motorola
【非特許文献５】3GPP TSG RAN WG1 #55,R1-084538,“LS on forward compatibility support in Rel-8”,TSG-RAN WG1
【非特許文献６】3GPP TSG RAN WG1 #55,R1-084447,“Common Reference Symbol Mapping/Signaling for 8 Transmit Antenna”,Texas Instruments
【発明の概要】
【発明が解決しようとする課題】
【００２７】
しかしながら、上述の非特許文献６に記載されたＡ−ＥＵＴＲＡのリレー局装置の通信をＭＢＳＦＮサブフレームを用いて行うことにより、ＥＵＴＲＡに対してバックワードコンパチビリティを保つために、リレー局装置に対する通信のＭＢＳＦＮサブフレームと、本来のＭＢＭＳに対するＭＢＳＦＮサブフレームとを識別するためのＡ−ＥＵＴＲＡ専用のＢＣＣＨを送信するシグナリングが必要となる。
【００２８】
更に、Ａ−ＥＵＴＲＡの基地局装置が、８本の送信アンテナを用いた送信をシステム情報ブロック（ＳＩＢ）を更新することにより移動局装置に報知すると、現状のＥＵＴＲＡの仕様では、当該基地局装置のセルエリア内に位置する全ての移動局装置が全てのシステム情報ブロックを受信し直して、更新する必要がある。
このように、システム情報ブロック（ＳＩＢ）を更新して移動局装置に報知することは、移動局装置及びリレー局装置に負荷がかかるという問題がある。
【００２９】
本発明は、上記問題を解決すべくなされたもので、その目的は、Ａ−ＥＵＴＲＡの複数のサービスを利用する際、追加のシグナリング量の低減し、受信処理の負荷の低減する無線通信システムを提供することにある。
【課題を解決するための手段】
【００３０】
（１）上記問題を解決するために、本発明は、以下のような手段を講じた。すなわち、本発明の無線通信システムは、基地局装置と移動局装置との間で無線により通信を行う無線通信システムであって、前記基地局装置は、前記移動局装置にデータを送信する複数の送信方法と、単一周波数ネットワーク（ＭＢＳＦＮ）サービスを提供する際のサービスエリアを示す識別子との対応付けを記憶する利用用途テーブルと、前記複数の送信方法それぞれに対応付けられた無線リソースを示す情報と、前記識別子との対応付けを示す情報を前記移動局装置に送信すると共に、前記複数の送信方式それぞれに対応付けられた前記無線リソースを用いて前記識別子と前記データとを前記移動局装置に送信する送信部と、を備え、前記移動局装置は、前記識別子と、該識別子に対応付けられた前記送信方式と、該送信方式に対応付けられた前記無線リソースを示す情報とを対応付けて記憶するフレーム構成記憶部と、前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信された前記データを受信する受信信号処理部と、を備えることを特徴とする。
【００３１】
（２）また、本発明の無線通信システムは、前記複数の送信方式に対応付けられた無線リソースと対応付けられた識別子が、前記基地局装置から前記移動局装置に報知されることを特徴とする。
【００３２】
（３）また、本発明の基地局装置は、移動局装置と無線により通信を行う基地局装置であって、前記移動局装置にデータを送信する複数の送信方式と、該送信方法を一意に識別する識別子を対応付けて予め記憶する利用用途テーブルと、前記複数の送信方式それぞれに対応付けられた無線リソースを示す情報と、前記識別子との対応付けを示す情報を前記移動局装置に送信すると共に、前記複数の送信方式に対応付けられた前記無線リソースを用いて前記識別子と前記データとを前記移動局装置に送信する送信部と、を備えることを特徴とする。
【００３３】
（４）また、本発明の移動局装置は、基地局装置と無線により通信を行う移動局装置であって、複数の送信方式を一意に識別する識別子と、該識別子に対応付けられた前記送信方式と、該送信方式に対応付けられた無線リソースを示す情報とを対応付けて記憶するフレーム構成記憶部と、前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信されたデータを受信する受信信号処理部とを備えることを特徴とする。
【００３４】
（５）また、本発明の移動通信方法は、基地局装置と移動局装置との間で無線により通信を行う無線通信システムにおける無線通信方法であって、前記基地局装置が、前記移動局装置にデータを送信する複数の送信方法と、単一周波数ネットワーク（ＭＢＳＦＮ）サービスを提供する際のサービスエリアを示す識別子との対応付けを記憶する過程と、前記基地局装置が、前記複数の送信方法それぞれに対応付けられた無線リソースを示す情報と、前記識別子との対応付けを示す情報を前記移動局装置に送信すると共に、前記複数の送信方式それぞれに対応付けられた前記無線リソースを用いて前記識別子と前記データとを前記移動局装置に送信する過程と、前記移動局装置が、前記識別子と、該識別子に対応付けられた前記送信方式と、該送信方式に対応付けられた前記無線リソースを示す情報とを対応付けて記憶する過程と、前記移動局装置が、前記基地局装置から受信した信号に含まれる前記識別子に対応した、前記無線リソースを示す情報、及び、前記送信方式を前記フレーム構成記憶部から読み出し、読み出した情報により示された前記無線リソースを通じて、読み出した前記送信方法に応じて前記基地局装置から送信された前記データを受信する過程とを有することを特徴とする。
【発明の効果】
【００３５】
この発明によれば、無線通信システムは、Ａ−ＥＵＴＲＡの複数のサービスを利用する際、追加のシグナリング量を低減し、受信処理の負荷を低減することができる。
【図面の簡単な説明】
【００３６】
【図１】第１実施形態における基地局装置の構成を示す概略ブロック図である。
【図２】本実施形態におけるＡ−ＥＵＴＲＡの仕様に基づく移動局装置２０の一構成例を示す概略ブロック図である。
【図３】本実施形態におけるＥＵＴＲＡの仕様に基づく移動局装置３０の一構成例を示す概略ブロック図である。
【図４】本実施形態における基地局装置１０と、Ａ−ＥＵＴＲＡ移動局装置３０と、ＥＵＴＲＡの仕様に基づく移動局装置２０との動作の一例を示すシーケンス図である。
【図５】本実施形態におけるマルチキャスト制御信号生成部１１が生成するＳ−ＭＣＣＨの一例を示す概略図である。
【図６】、第２実施形態における基地局装置１０と、Ａ−ＥＵＴＲＡ移動局装置２０と、ＥＵＴＲＡの仕様に基づく移動局装置３０との動作の一例を示すシーケンス図である。
【図７】本実施形態における、Ｐ−ＭＣＣＨと、複数のＳ−ＭＣＣＨ（Ｓ−ＭＣＣＨ１、…、Ｓ−ＭＣＣＨ４）の無線フレームにおける配置の一例を示した概略図である。
【図８】ＥＵＴＲＡにおける無線フレームの構成の一例を示す図である。
【図９】リソースブロックにおける参照信号、及び、下りリンク制御信号の配置の一例を示した概略図である。
【図１０】複数のＭＢＭＳのサービスエリアが存在する場合、ＢＣＣＨ、Ｐ−ＭＣＣＨ、及び、Ｓ−ＭＣＣＨを用いたサブフレームの割り当ての一例を示した概略図である。
【図１１】Ａ−ＥＵＴＲＡで提案されている基地局装置（基地局Ａ）及び移動局装置（移動局２）と、ＥＵＴＲＡの仕様に準拠した移動局装置（移動局１）との動作の一例を示したシーケンス図である。
【発明を実施するための形態】
【００３７】
［実施形態の概要］
基地局装置から移動局装置に送信する下りリンクの無線フレームを、サブフレームをＥＵＴＲＡのユニキャスト送信に用いるユニキャストサブフレーム（サブフレームともいう）と、ＭＢＳＦＮ（Multimedia Broadcast Single Frequency Network；マルチメディア同報通信単一周波数ネットワーク）サブフレームとに割り当てる。
ユニキャストサブフレームは、ＥＵＴＲＡ移動局装置に対するバックワードコンパチビリティを保つために使用され、ＭＢＳＦＮサブフレームとして割り当てたサブフレームは、多目的ＭＢＳＦＮサブフレームと定め、Ａ−ＥＵＴＲＡにおいて拡張された送信例えば、８アンテナ送信、リレー局向け送信などにより送信するサブフレームとする。
移動局装置は、多目的ＭＢＳＦＮサブフレームの利用用途を識別する際にＳＴＡ  ＩＤ（Single Frequency Network Area Identity；単一周波数ネットワークエリア識別子）を用いることにより、利用用途に応じた受信を行う。
【００３８】
＜第１実施形態＞
以下、本発明の第１実施形態による無線通信システム、基地局装置、移動局装置、及び、無線通信方法を図面を参照して説明する。なお、基地局装置と移動局装置とは、マルチキャスト通信におけるＯＦＤＭ方式を用いて通信を行う例を用いて説明する。また、以下、基地局装置から移動端末装置に信号を送信する下りリンクを対象として説明するので、基地局装置については、受信機能を実現する構成については、説明を省略し、送信機能を実現する構成のみを説明する。同様に、移動局装置については、送信機能を実現する構成については説明を省略し、受信機能を実現する構成のみを説明する。以下、下り制御メッセージとは、基地局装置が移動局装置に対して送信する１つ以上の制御チャネル、例えば、ＰＤＣＣＨなどの信号の総称として用い、制御チャネルを特定して説明するときは、当該制御チャネルの名称を用いて説明をする。
【００３９】
図１は、第１実施形態における基地局装置の構成を示す概略ブロック図である。図１に示すように、基地局装置１０は、マルチキャスト制御信号生成部１１、下りメッセージ生成部１２、送信信号処理制御部１３、送信信号処理部１４、チャネルマッピング部１５、送信帯域設定部１６、送信部１７、及び、上位レイヤ処理部１９を具備する。
【００４０】
マルチキャスト制御信号生成部１１は、上位レイヤ処理部１９よりサブフレームの利用用途（送信方法）を示すサブフレーム情報が入力され、入力されたサブフレーム情報が示す利用用途が
ＥＵＴＲＡのフレーム構造と互換性のあるものか否かを判定する。
ここで、サブフレーム情報が示す利用用途は、例えば、ＥＵＴＲＡ互換のユニキャスト送信、リレー局装置向けの送信、Ａ−ＥＵＴＲＡ８つのアンテナを用いたＡ−ＥＵＴＲＡの仕様に基づく送信（以下、Ａ−ＥＵＴＲＡにおける８アンテナ送信という）、ＭＢＳＦＮの送信などである。また、マルチキャスト制御信号生成部１１は、利用用途テーブル１１Ａを有している。利用用途テーブル１１Ａには、ＥＵＴＲＡのフレーム構造と互換性のない送信（利用用途）が、次の表１に示すように、ＳＦＡ  ＩＤとが対応付けられて予め記憶されている。例えば、利用用途「ＭＢＳＦＮ送信」は、ＳＦＡ  ＩＤが０から１２７に対応付けられて記憶されている。
【００４１】
【表１】
2010206285.tif 000003
【００４２】
また、マルチキャスト制御信号生成部１１は、サブフレーム情報が示す送信には互換性がないと判定した場合、ＥＵＴＲＡのフレーム構造と互換性がないＭＢＳＦＮサブフレームとして通信を行うために、下りメッセージ生成部１２にＭＢＳＦＮサブフレームを指定する下り制御メッセージを生成させる制御をする。
更に、マルチキャスト制御信号生成部１１は、利用用途ごとにＰ−ＭＣＣＨの信号を生成して送信信号処理部１４に出力する。ここで、マルチキャスト制御信号生成部１１が生成するＳ−ＭＣＣＨについて説明する。
【００４３】
下りメッセージ生成部１２は、上位レイヤ処理部１９より制御メッセージ、例えば、レイヤ３のＲＲＣ（Radio Resource Control；無線リソース制御）などが入力されると、入力された制御メッセージに応じた下り制御メッセージを生成して送信信号処理部１４に出力する。また、下りメッセージ生成部１２は、上位レイヤ処理部１９の制御により、無線フレームにおいて、いずれのサブフレームを多目的ＭＢＳＦＮサブフレームに割り当てるかを示すＳＩＢ２（System Information Block 2；システム情報ブロック）の信号を含む下り制御メッセージを生成し送信信号処理部１４に出力する。
【００４４】
送信信号処理制御部１３は、上位レイヤ処理部１９から基地局下りスケジューリング情報が入力され、入力された基地局下りスケジューリング情報に応じて、送信信号処理部１４が入力される信号及び情報を変調して変調シンボルを生成する制御をする。ここで、基地局下りスケジューリング情報には、送信信号の変調方式、符号化方式、符号化率などを示す情報が含まれている。
送信信号処理部１４には、上位レイヤ処理部１９から移動局装置に送信する下りデータ及び下り制御情報と、マルチキャスト制御信号生成部１１からＰ−ＭＣＣＨの信号と、下りメッセージ生成部１２から下り制御メッセージとが入力され、送信信号処理制御部１３による制御に応じて、符号化と変調により変調シンボルを生成して、チャネルマッピング部１５に出力する。
【００４５】
チャネルマッピング部１５は、送信信号処理部１４が出力する変調シンボルを、その変調前の信号、情報、が示す論理チャネルに応じて物理チャネルにマッピングして、物理チャネルにマッピングした変調シンボルを送信部１７に出力する。例えば、チャネルマッピング部１５は、論理チャネルのＢＣＣＨを物理チャネルのＰＢＣＨ（Physical Broadcast Channel；物理同報チャネル）、およびＰＤＳＣＨ（Physical Downlink Shared Channel；物理下り共有チャネル）にマッピングし、論理チャネルのＰ−ＭＣＣＨ及びＳ−ＭＣＣＨを物理チャネルのマルチキャストチャネル（Multicast Channel;ＭＣＨ）にマッピングする。
【００４６】
送信帯域設定部１６は、上位レイヤ処理部１９から入力される送信制御情報に従い、送信部１７が物理チャネルにマッピングされた変調シンボルを移動局装置に送信する際に、送信する周波数帯域、送信電力、送信タイミング、並びに、物理チャネルの多重化方法、及び、物理チャネルを図８に示したリソースブロックへ割り当てる処理の制御を行う。
ここで、送信制御情報には、送信部１７が物理チャネルを送信する際に用いる搬送波の周波数帯域、送信電力、及び、送信タイミング、並びに、物理チャネルの多重化の方法、及び、物理チャネルのリソースブロックに対する割り当てを示す情報が含まれている。
【００４７】
送信部１７は、送信帯域設定部１６の制御に応じて、物理チャネルにマッピングされた変調シンボル（周波数方向と時間方向の平面状に並べられた変調シンボル）に対して逆ＦＦＴ（Fast Fourier Transform）を行い、周波数領域の信号を時間領域の信号に変換し、変換した時間領域の信号にサイクリックプレフィックス（Cyclic Prefix；ＣＰ、ガードインターバルともいう）を付加してＯＦＤＭシンボルを生成する。更に、送信部１７は、生成したデジタル信号のＯＦＤＭシンボルをアナログ信号に変換して、アナログ信号をキャリア周波数によりアップコンバージョンして、アンテナを介して移動局装置に送信する。
【００４８】
次に、図２は、本実施形態におけるＡ−ＥＵＴＲＡの仕様に基づく移動局装置２０の一構成例を示す概略ブロック図である。移動局装置２０は、受信帯域設定部２１、受信部２２、受信信号処理制御部２３、受信信号処理部２４、マルチキャスト処理部２５、フレーム構成記憶部２６、制御メッセージ処理部２７、測定処理部２８、及び、上位レイヤ処理部２９を備える。
【００４９】
受信帯域設定部２１は、上位レイヤ処理部２９から入力される受信制御情報に従い、受信部２２が基地局装置１０から送信された信号を受信する際、受信する周波数帯域、受信タイミング、多重化された変調シンボルの分離、リソースブロックに割り当てられた変調シンボルの抽出の制御を行う。ここで、受信制御情報は、受信する信号の周波数帯域、信号を受信するタイミング、基地局装置１０において変調シンボルを多重化した際の多重化方法、及び、変調シンボルに対するリソースブロック割り当ての情報が含まれている。
【００５０】
受信部２２は、受信帯域設定部２１の制御により、設定された周波数帯域において、基地局装置１０が送信した信号をアンテナを介して受信し、受信したアナログ信号をベースバンド周波数にダウンコンバートし、ダウンコンバートした信号をデジタル信号に変換した変調シンボルを受信信号処理部２４に出力する。
【００５１】
受信信号処理制御部２３は、上位レイヤ処理部２９から移動局下りスケジューリング情報が入力される。ここで、移動局下りスケジューリング情報は、送信信号の変調方式、符号化方式、符号化率などを示す情報を含む。また、受信信号処理制御部２３は、入力される移動局下りスケジューリング情報とに応じて、受信信号処理部２４が行う変調を制御する。
【００５２】
受信信号処理部２４は、受信部２２が出力する変調シンボルを、受信信号処理制御部２３の制御と、フレーム構成記憶部２６に記憶されているフレーム構成情報とに応じて、変調シンボルを復調する。また、受信信号処理部２４は、信号を復調する際に、復調した参照信号を用いてチャネル推定し、復調する信号やデータに対して伝搬路補償を行う。
また、受信信号処理部２４は、復調した信号が上位レイヤからの下り制御メッセージ（レイヤ３メッセージ）の場合、復調した信号を制御メッセージ処理部２７に出力し、復調した信号がＳ−ＭＣＣＨ又はＰ−ＭＣＣＨの場合、復調した信号をマルチキャスト処理部２５に出力し、復調した信号が下りリンクデータの場合、上位レイヤ処理部２９に出力する。
【００５３】
マルチキャスト処理部２５は、ＳＦＡ  ＩＤと利用用途とが対応付けて記憶されている利用用途テーブル２５Ａを有している。利用用途テーブル２５Ａは、基地局装置１０の利用用途テーブル１１Ａ（表１）と同様に、ＳＦＡ  ＩＤと、ＥＵＴＲＡのフレーム構造と互換性のないフレーム構成の送信である、リレー局装置向けの送信、８つのアンテナを用いたＡ−ＥＵＴＲＡの仕様に基づく送信、ＭＢＳＦＮの送信などが、対応付けられて予め記憶されている。
また、マルチキャスト処理部２５は、上位レイヤ処理部２９から、利用用途を示す情報と、当該利用用途のＳＴＡ  ＩＤと、当該利用用途に割り当てられた多目的ＭＢＳＦＮサブフレームを示す情報と、利用用途に応じた伝搬路推定用参照信号及び測定用参照信号が割り当てられている多目的ＭＢＳＦＮサブフレームを示す情報を含む情報が入力され、入力された当該情報をフレーム構成記憶部２６に出力して記憶させる。
なお、フレーム構成記憶部２６に記憶されている情報をフレーム構成情報という。
【００５４】
また、マルチキャスト処理部２５は、受信信号処理部２４から入力されるＰ−ＭＣＣＨ又はＳ−ＭＣＣＨに含まれる下り制御メッセージを抽出し、抽出した下り制御メッセージを制御メッセージ処理部２７に出力する。
【００５５】
制御メッセージ処理部２７は、受信信号処理部２４が出力する下り制御メッセージの内容に応じた制御を行い、その結果を上位レイヤ処理部２９に出力する。
測定処理部２８は、受信信号処理部２４が出力する参照信号又は測定用参照信号を用いてサブキャリアそれぞれのチャネル推定を行い、そのチャネル推定結果を上位レイヤ処理部２９に出力する。
上位レイヤ処理部２９は、上位層の処理、例えば、レイヤ３におけるＲＲＣ（Radio Resource Control）の処理を行う。
【００５６】
次に、図３は、本実施形態におけるＥＵＴＲＡの仕様に基づく移動局装置３０の一構成例を示す概略ブロック図である。図３に示すように、移動局装置３０は、受信帯域設定部３１、受信部３２、受信信号処理制御部３３、受信信号処理部３４、制御メッセージ処理部３５、測定処理部３６、及び、上位レイヤ３９を備える。
受信帯域設定部３１は、上位レイヤ３９から入力される受信制御情報に従い、受信部３２が基地局装置１０から送信された信号を受信する際、受信する周波数帯域、受信タイミング、多重化された変調シンボルの分離、リソースブロックに割り当てられた変調シンボルの抽出の制御を行う。
【００５７】
受信部３２は、受信帯域設定部３１により設定された周波数帯域において、基地局装置１０が送信した信号をアンテナを介して受信し、受信したアナログ信号をベースバンド周波数にダウンコンバートし、ダウンコンバートした信号をデジタル信号に変換した変調シンボルを受信信号処理部３４に出力する。受信信号処理制御部３３は、上位レイヤ３９から下りスケジューリング情報が入力される。
受信信号処理部３４は、ＭＢＳＦＮサブフレームの先頭２ＯＦＤＭシンボルに配置される参照信号を検出して、検出した参照信号により伝搬路推定をし、受信部３２が出力する変調シンボルに対して伝搬路補償をすると共に、復調を行う。また、受信信号処理部３４は、検出した参照信号を測定処理部３６に出力する。また、受信信号処理部３４は、復調した信号が上位レイヤからの下り制御メッセージ（レイヤ３メッセージ）の場合、復調した信号を制御メッセージ処理部３５に出力し、復調した信号が下りリンクデータの場合、上位レイヤ３９に出力する。
上位レイヤ３９は、上位層の処理、例えば、レイヤ３におけるＲＲＣの処理を行う。
【００５８】
図４は、本実施形態における基地局装置１０と、Ａ−ＥＵＴＲＡ移動局装置３０と、ＥＵＴＲＡの仕様に基づく移動局装置２０との動作の一例を示すシーケンス図である。基地局装置１０のセルエリア内に、移動局装置２０、３０が位置する場合を説明する。
【００５９】
ここで、基地局装置１０は、無線フレームにおけるサブフレームのうちＭＢＳＦＮサブフレームとして用いるサブフレームを定め、更に、定めたＭＢＳＦＮサブフレームのうち複数の利用用途に用いるＭＢＳＦＮサブフレームを多目的ＭＢＳＦＮサブフレームを定める。また、移動局装置１０は、下りリンクで使用する利用用途ごとに、多目的ＭＢＳＦＮサブフレームを割り当る。フレーム構成情報は、この多目的ＭＢＳＦＮサブフレームの割り当てを示す情報を含む。
【００６０】
＜１＞多目的ＭＢＳＦＮサブフレームを割り当てる処理
＜１−１：基地局装置１０における処理＞
まず、基地局装置１０において、上位レイヤ処理部１９は、自装置のセルエリア内に位置する全ての移動局装置に対して下り制御メッセージを送信するために、周波数帯域、送信電力、及び、送信タイミング、並びに、物理チャネルの多重化の方法、及び、物理チャネルのリソースブロックに対する割り当てを示す情報を設定して、送信制御情報として送信帯域設定部１６に出力する。また、上位レイヤ処理部１９は、同様に、自装置のセルエリア内に位置する全ての移動局装置に対して下り制御メッセージを送信するために、変調方式、符号化方式、符号化率を設定し、基地局下りスケジューリング情報として送信信号処理制御部１３に出力する。また、上位レイヤ処理部１９は、送信信号処理部１４にＢＣＣＨの信号を報知する下り制御情報を出力し、下りリンクにて使用する多目的ＭＢＳＦＮサブフレームの位置を示す情報、及び、後述のステップＳ４３にて送信するＰ−ＭＣＣＨの信号を割り当てるサブフレームを示す情報を下りメッセージ生成部１２に出力する。  また、上位レイヤ処理部１９は、下りメッセージ生成部１２に出力した情報をＳＩＢ２（System Information Block 2；システム情報ブロック２）として含む下り制御メッセージを下りメッセージ生成部１２に生成させる制御を行う。
【００６１】
送信信号処理制御部１３は、上位レイヤ処理部１９が出力した基地局下りスケジューリング情報に応じて、送信信号処理部１４が下り制御メッセージと下りデータとをそれぞれ変調シンボルに変調する制御を行う。
下りメッセージ生成部１２は、上位レイヤ処理部１９の制御に応じて、下りリンクの無線フレームのサブフレームのうち、多目的ＭＢＳＦＮサブフレームとして使用するサブフレームの位置を示す情報としてＳＩＢ２を含む下り制御メッセージを生成して送信信号処理部１４に出力する。送信信号処理部１４は、下りメッセージ生成部１２が出力した下り制御メッセージを含むＢＣＣＨの変調シンボルを生成してチャネルマッピング部１５に出力する。チャネルマッピング部１５は、送信信号処理部１４が出力したＢＣＣＨの変調シンボルを物理チャネルのＰＢＣＨ、およびＰＤＳＣＨ（Physical Downlink Shared Channel；物理下り共有チャネル）にマッピングして送信部１７に出力する。送信帯域設定部１６は、上位レイヤ処理部１９が出力した送信信号制御情報に応じた送信タイミング、多重方法、無線リソース配置により、送信部１７が行う送信を制御する。送信部１７は、チャネルマッピング部１５がマッピングしたＢＣＣＨの変調シンボルを、送信帯域設定部１６の制御に応じて、アナログ信号に変換し、変換したアナログ信号を搬送波周波数にアップコンバートして移動局装置２０、３０に送信する（ステップＳ４１）。
【００６２】
＜１−２：移動局装置３０における処理＞
上述のステップＳ４１に続いて、移動局装置３０において、上位レイヤ処理部３９は、受信帯域設定部３１に受信制御情報を出力し、受信信号処理制御部３３に移動局下りスケジューリング情報を出力する。このとき、受信制御情報に含まれる周波数帯域、送信電力、及び、送信タイミング、並びに、物理チャネルの多重化の方法、及び、物理チャネルのリソースブロックに対する割り当てを示す情報には、基地局装置１０が自装置向けに送信する信号、及び、全ての移動局装置に向けて送信する下り制御メッセージなどを復調する処理を行うための値が設定される。移動局下りスケジューリング情報に含まれる受信信号の変調方式、符号化方式、符号化率などを示す情報には、受信制御情報と同様に、基地局装置１０が自装置向けに送信する信号、及び、全ての移動局装置に向けて送信する下り制御メッセージなどを復調する処理を行うための値が設定される。
【００６３】
受信帯域設定部３１は、上位レイヤ処理部３９が出力した受信制御情報に応じた受信タイミング、多重方法、無線リソース配置により、受信部３２が行う受信を制御する。受信部３２は、受信帯域設定部３１の制御に応じて基地局装置１０が送信した信号を受信し、受信した信号をベースバンド周波数にダウンコンバートして、ダウンコンバートした信号をデジタル信号に変換して得られた変調シンボルを受信信号処理部３４に出力する。
【００６４】
受信信号処理制御部３３は、上位レイヤ処理部３９が出力した移動局下りスケジューリング情報に応じて、受信信号処理部３４が変調シンボルからＢＣＣＨの信号を復調する制御を行う。受信信号処理部３４は、受信部３２が出力した変調シンボルから、受信信号処理制御部３３の制御に応じてＢＣＣＨの信号を復調し、復調したＢＣＣＨの信号を制御メッセージ処理部３５に出力する。制御メッセージ処理部３５は、受信信号処理部３４が出力したＢＣＣＨの信号に含まれる下り制御メッセージからＳＩＢ２の信号を検出して上位レイヤ処理部３９に出力する。上位レイヤ処理部３９は、制御メッセージ処理部３５が出力したＳＩＢ２、すなわち、下りリンクの無線フレームのサブフレームのうち、多目的ＭＢＳＦＮサブフレームとして使用するサブフレームの位置を示す情報により、下りリンクの無線フレームにおいて、多目的ＭＢＳＦＮサブフレームに割り当てられているサブフレームを記憶する（ステップＢ４１）。
また、受信部３２は、公知の方法を用いて、基地局装置１０が送信する無線フレームと同期をとり、基地局装置１０が送信するＢＣＣＨの信号を受信する。
【００６５】
＜１−３：移動局装置２０における処理＞
移動局装置２０において、上位レイヤ処理部２９は、受信帯域設定部２１に受信制御情報を出力し、受信信号処理制御部２３に移動局下りスケジューリング情報を出力する。このとき、受信制御情報に含まれる周波数帯域、送信電力、及び、送信タイミング、並びに、物理チャネルの多重化の方法、及び、物理チャネルのリソースブロックに対する割り当てを示す情報には、基地局装置１０が自装置向けに送信する信号、及び、全ての移動局装置に向けて送信する下り制御メッセージなどを復調する処理を行うための値が設定される。移動局下りスケジューリング情報に含まれる受信信号の変調方式、符号化方式、符号化率などを示す情報には、受信制御情報と同様に、基地局装置１０が自装置向けに送信する信号、及び、全ての移動局装置に向けて送信する下り制御メッセージなどを復調する処理を行うための値が設定される。
受信帯域設定部２１は、上位レイヤ処理部２９が出力した受信制御情報に応じた受信タイミング、多重方法、無線リソースの配置により、受信部２２が行う受信を制御する。受信部２２は、受信帯域設定部２１の制御に応じて、基地局装置１０が送信した信号を受信し、受信した信号をベースバンド周波数にダウンコンバートして、ダウンコンバートした信号をデジタル信号に変換して得られた変調シンボルを受信信号処理部２４に出力する。
【００６６】
受信信号処理制御部２３は、上位レイヤ処理部２９が出力した移動局下りスケジューリング情報に応じて、受信信号処理部２４が変調シンボルからＢＣＣＨの信号を復調する制御を行う。受信信号処理部２４は、受信部２２が出力した変調シンボルから、受信信号処理制御部２３の制御に応じてＢＣＣＨの信号を復調し、復調したＢＣＣＨの信号を制御メッセージ処理部２７に出力する。制御メッセージ処理部２７は、受信信号処理部２４が出力したＢＣＣＨの信号に含まれる下り制御メッセージからＳＩＢ２の信号を検出して上位レイヤ処理部２９に出力する。
上位レイヤ処理部２９は、制御メッセージ処理部２７が出力したＳＩＢ２、すなわち、下りリンクの無線フレームのサブフレームのうち多目的ＭＢＳＦＮサブフレームとして使用するサブフレームの位置を示す情報をマルチキャスト処理部２５に出力する。マルチキャスト処理部２５は、上位レイヤ処理部２９が出力した下りリンクの無線フレームのサブフレームのうち多目的ＭＢＳＦＮサブフレームとして使用するサブフレームの位置を示す情報をフレーム構成記憶部２６に出力して記憶させる（ステップＣ４１）。
また、受信部２２は、移動局装置３０の受信部３２と同様に、公知の方法を用いて、基地局装置１０が送信する無線フレームと同期をとり、基地局装置１０が送信するＢＣＣＨの信号を受信する。
【００６７】
＜２＞ＳＦＴ  ＩＤと利用用途との対応付けを報知する処理
＜２−１：基地局装置１０における処理＞
続いて、基地局装置１０において、上位レイヤ処理部１９は、利用用途テーブル１１Ａに記憶されている情報、すなわち、ＳＦＡ  ＩＤと利用用途との対応付けをＡ−ＥＵＴＲＡ移動局装置２０に報知させる制御を行う。上位レイヤ処理部１９は、マルチキャスト制御信号生成部１１に利用用途テーブル１１Ａに記憶されている情報を送信信号処理部１４に出力させる制御を行う。また、上位レイヤ処理部１９は、下りメッセージ生成部１２に利用用途テーブル１１Ａに記憶されている情報を移動局装置２０に報知するために用いる制御情報、例えば、Ａ−ＥＵＴＲＡ移動局装置を送信先とする情報や、利用用途テーブル１１Ａに記憶されている情報に割り当てるサブフレームを示す情報などを下りメッセージ生成部１２に出力する。また、上位レイヤ処理部１９は、送信信号処理制御部１３に基地局下りスケジューリング情報を出力し、送信帯域設定部１６に送信制御情報を出力する。
【００６８】
マルチキャスト制御信号生成部１１は、利用用途テーブル１１Ａに記憶されているＳＦＡ  ＩＤと利用用途との対応を読み出して送信信号処理部１４に出力する。下りメッセージ生成部１２は、移動局装置３０に送信するための下り制御メッセージを生成し、生成した下り制御メッセージを送信信号処理部１４に出力する。送信信号処理部１４は、マルチキャスト制御信号生成部１１が出力した利用用途テーブル１１Ａに記憶されている情報と、下りメッセージ生成部１２が出力した下り制御メッセージとそれぞれを変調シンボルに変調してチャネルマッピング部１５に出力する。チャネルマッピング部１５は、送信信号処理部１４が出力した変調シンボルをチャネルマッピング部１５に出力する。チャネルマッピング部１５は、送信信号処理部１４が出力した変調シンボルを物理チャネルにマッピングして送信部１７に出力する。
【００６９】
送信帯域設定部１６は、上位レイヤ処理部１９が出力した送信制御情報に示される送信タイミング、多重方法、無線リソースの割り当てに応じて、送信部１７が行う送信を制御する。送信部１７は、チャネルマッピング部１５により物理チャネルにマッピングされた変調シンボルを、送信帯域設定部１６の制御に応じて、アナログ信号に変換し、変換したアナログ信号を搬送波周波数にアップコンバートし、アンテナを介して移動局装置２０、３０に送信する（ステップＳ４２）。
【００７０】
＜２−２：移動局装置２０における処理＞
移動局装置２０において、上位レイヤ処理部２９は、受信帯域設定部２１に受信制御情報を出力し、受信信号処理制御部２３に移動局下りスケジューリング情報を出力する。
受信帯域設定部２１は、上位レイヤ処理部２９が出力した受信制御情報に応じた受信タイミング、多重方法、無線リソース配置により、受信部２２が行う受信を制御する。受信部２２は、受信帯域設定部２１の制御に応じて、基地局装置１０から受信した信号を変換して得られた変調シンボルを受信信号処理部２４に出力する。
受信信号処理制御部２３は、上位レイヤ処理部２９が出力した移動局下りスケジューリング情報に応じて、受信信号処理部２４が行う復調を制御する。受信信号処理部２４は、受信部２２が出力した変調シンボルから、受信信号処理制御部２３の制御に応じて、下り制御メッセージを復調して、復調した下り制御メッセージを制御メッセージ処理部２７に出力する。
【００７１】
制御メッセージ処理部２７は、受信信号処理部２４が出力した下り制御メッセージから、ＳＦＡ  ＩＤと利用用途との対応を示す情報を検出し、情報を上位レイヤ処理部２９に出力する。上位レイヤ処理部２９は、制御メッセージ処理部２７が検出した情報をマルチキャスト処理部２５に出力する。マルチキャスト処理部２５は、入力されたＳＦＡ  ＩＤと利用用途との対応付けを示す情報を利用用途テーブル２５Ａに書き込んで記憶させる（ステップＣ４２）。
【００７２】
＜３＞多目的ＭＢＳＦＮサブフレームと利用用途とを対応付ける処理
＜３−１：基地局装置１０における処理＞
基地局装置１０において、上位レイヤ処理部１９は、送信帯域設定部１６に送信制御情報を出力し、送信信号処理制御部１３に基地局下りスケジューリング情報を出力し、送信信号処理部１４にＢＣＣＨの信号を報知する下り制御情報を出力し、下りリンクにて使用する多目的ＭＢＳＦＮサブフレームの位置を示す情報を下りメッセージ生成部１２に出力する。
また、上位レイヤ処理部１９は、利用用途を示すサブフレーム情報と、当該利用用途に割り当てられる無線フレームにおける多目的ＭＢＦＳＮサブフレームの位置を示す情報と、当該利用用途に応じた伝搬路推定用参照信号及び測定用参照信号が割り当てられている多目的ＭＢＳＦＮサブフレームを示す情報とをマルチキャスト制御信号生成部１１に出力する。
送信信号処理制御部１３は、上位レイヤ処理部１９が出力した基地局下りスケジューリング情報、例えば、変調方式、符号化方式、符号化率などの情報に応じて、送信信号処理部１４がＰ−ＭＣＣＨの信号を変調シンボルに変調する制御を行う。
【００７３】
マルチキャスト制御信号生成部１１は、入力されたサブフレーム情報（利用用途）に対応するＳＦＡ  ＩＤを利用用途テーブル１１Ａから読み出し、読み出したＳＦＡ  ＩＤと、入力された多目的ＭＢＳＦＮサブフレームの位置を示す情報と、当該利用用途に応じた伝搬路推定用参照信号及び測定用参照信号が割り当てられている多目的ＭＢＳＦＮサブフレームを示す情報とを対応付けた情報を含むＰ−ＭＣＣＨの信号を生成して送信信号処理部１４に出力する。
送信信号処理部１４は、マルチキャスト制御信号生成部１１が出力したＰ−ＭＣＣＨの信号を、送信信号処理制御部１３の制御に応じて変調シンボルに変調してチャネルマッピング部１５に出力する。チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に示される送信タイミング、多重方法、無線リソースの割り当てに応じて、送信部１７が行う送信を制御する。送信部１７は、チャネルマッピング部１５がマッピングした変調シンボルを、送信帯域設定部１６の制御に応じて、アナログ信号に変換し、変換したアナログ信号を搬送波周波数にアップコンバートして移動局装置２０に送信する（ステップＳ４３）。
なお、基地局装置１０は、ステップＳ４１にて送信したＢＣＣＨの信号で示されたサブフレームにＰ−ＭＣＣＨの信号を割り当て、送信する。
【００７４】
＜３−２：移動局装置２０における処理＞
上述のステップＳ４３に続いて、移動局装置２０において、上位レイヤ処理部２９は、受信帯域設定部２１に受信制御情報を出力し、受信信号処理制御部２３に移動局下りスケジューリング情報を出力する。
【００７５】
受信帯域設定部２１は、上位レイヤ処理部２９が出力した受信制御情報に応じた受信タイミング、多重方法、無線リソース配置により、受信部２２が基地局装置１０から送信された信号を受信する制御を行う。受信部２２は、受信帯域設定部２１の制御に応じて、基地局装置１０から受信した信号を変化して得られた変調シンボルを受信信号処理部２４に出力する。
受信信号処理制御部２３は、上位レイヤ処理部２９が出力した移動局下りスケジューリング情報に応じた変調方式、符号化方式、符号化率などにより、受信信号処理部２４が変調シンボルからＰ−ＭＣＣＨの信号を復調する制御を行う。受信信号処理部２４は、受信部２２から変調シンボルが入力され、ステップＳ４１にて受信したＢＣＣＨの信号により示されたサブフレームの変調シンボルから、受信信号処理制御部２３の制御に応じてＰ−ＭＣＣＨの信号を復調してマルチキャスト処理部２５に出力する。
【００７６】
マルチキャスト処理部２５は、受信信号処理部２４が出力したＰ−ＭＣＣＨに含まれるＳＦＡ  ＩＤと、当該ＳＦＡ  ＩＤに対応付けられた多目的ＭＢＦＳＮサブフレームの位置を示す情報と、当該利用用途に応じた伝搬路推定用参照信号及び測定用参照信号が割り当てられている多目的ＭＢＳＦＮサブフレームを示す情報とを検出し、検出したＳＦＡ  ＩＤに対応する利用用途を利用用途テーブル２５Ａから読み出す。また、マルチキャスト処理部２５は、検出したＳＦＡ  ＩＤと、当該ＳＦＡ  ＩＤに割り当てられた無線フレームにおける多目的ＭＢＦＳＮサブフレームの位置を示す情報と、読み出した利用用途と、当該利用用途に応じた伝搬路推定用参照信号及び測定用参照信号が割り当てられている多目的ＭＢＳＦＮサブフレームを示す情報とを対応付けてフレーム構成記憶部２６に出力して記憶させる（ステップＣ４３）。
上述の処理により、移動局装置２０のフレーム構成記憶部２６には、ＳＦＡ  ＩＤと、利用用途と、利用用途に割り当てられた多目的ＭＢＳＦＮサブフレームを示す情報と、当該利用用途に応じた伝搬路推定用参照信号及び測定用参照信号が割り当てられている多目的ＭＢＳＦＮサブフレームを示す情報とが対応付けられて記憶される。
【００７７】
以下、基地局装置１０が、ＥＵＴＲＡと互換性のあるユニキャスト送信、Ａ−ＥＵＴＲＡにおけるリレー局装置に向けた送信、Ａ−ＥＵＴＲＡサブフレームとして８アンテナ送信、及び、ＭＢＳＦＮサブフレームによるＭＢＭＳ送信、それぞれの場合について説明する。
【００７８】
＜４：ＥＵＴＲＡと互換性のあるユニキャスト送信をする処理＞
＜４−１：基地局装置１０における処理＞
基地局装置１０において、上位レイヤ処理部１９は、基地局下りスケジューリング情報を送信信号処理部１４に出力し、送信制御情報を送信帯域設定部１６に出力し、「ＥＵＴＲＡと互換性のあるユニキャスト送信」を示すサブフレーム情報をマルチキャスト制御信号生成部１１に出力し、下りデータを送信信号処理部１４に出力し、「ＥＵＴＲＡと互換性のあるユニキャスト送信」における制御情報、例えば、ＰＤＣＣＨの信号などの送信先を示す情報などを下りメッセージ生成部１２に出力する。このとき、送信制御情報に含まれる周波数帯域、送信電力、及び、送信タイミング、並びに、物理チャネルの多重化の方法、及び、物理チャネルをリソースブロックに対する割り当てを示す情報には、自装置のセルエリア内に位置し、所望の移動局装置に対して下り制御メッセージ及び下りデータを送信する処理を行うための値が設定され、物理チャネルを無線フレームのうち多目的ＭＢＳＦＮサブフレームに割り当てられたサブフレーム以外のサブフレームに割り当てる値が設定される。基地局下りスケジューリング情報に含まれる送信信号の変調方式、符号化方式、符号化率などを示す情報には、送信制御情報と同様に、自装置のセルエリア内に位置し、所望の移動局装置に対して下り制御メッセージ及び下りデータを送信する処理を行うための値が設定される。
【００７９】
マルチキャスト制御信号生成部１１は、入力されたサブフレーム情報がＥＵＴＲＡのフレーム構造と互換性のあるものと判定する。下りメッセージ生成部１２は、上位レイヤ処理部１９から入力された制御信号より下り制御メッセージを生成して送信信号処理部１４に出力する。下りメッセージ生成部１２は、上位レイヤ処理部１９が出力した制御情報に応じた下り制御メッセージを生成して送信信号処理部１４に出力する。
送信信号処理制御部１３は、上位レイヤ処理部１９が出力した基地局下りスケジューリング情報に応じて、送信信号処理部１４が下り制御メッセージと下りデータとをそれぞれ変調シンボルに変調する制御を行う。送信信号処理部１４は、上位レイヤ処理部１９が出力した下りデータと、下りメッセージ生成部１２が出力した下り制御メッセージとをそれぞれを変調して変調シンボルを生成し、生成した変調シンボルをチャネルマッピング部１５に出力する。
【００８０】
チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に応じて、送信部１７が行う送信を制御する。送信部１７は、チャネルマッピング部１５がマッピングした変調シンボルを、送信帯域設定部１６の制御に応じて、無線フレームのうち多目的ＭＢＳＦＮサブフレームに割り当てたサブフレーム以外のサブフレームに割り当て、アナログ信号に変換し、変換したアナログ信号を搬送波周波数にアップコンバートして移動局装置２０、３０に送信する（ステップＳ４４）。
【００８１】
＜４−２：移動局装置３０における処理＞
上述のステップＳ４４に続いて、移動局装置３０において、上位レイヤ処理部３９は、受信帯域設定部３１に受信制御情報を出力し、受信信号処理制御部３３に移動局下りスケジューリング情報を出力する。
受信帯域設定部３１は、上位レイヤ処理部３９が出力した受信制御情報に応じて受信部３２が基地局装置１０から送信された信号を受信する制御を行う。受信部３２は、受信帯域設定部３１の制御に応じて、基地局装置１０から受信して得られた変調シンボルを受信信号処理部３４に出力する。
受信信号処理制御部３３は、上位レイヤ処理部３９が出力した移動局下りスケジューリング情報に応じて受信信号処理部３４が変調シンボルを復調する制御を行う。受信信号処理部３４は、受信部３２が出力した変調シンボルから、受信信号処理制御部３３の制御に応じて下り制御メッセージと参照信号とを復調し、復調した下り制御メッセージを制御メッセージ処理部３５に出力し、復調した参照信号を測定処理部３６に出力する。
【００８２】
制御メッセージ処理部３５は、受信信号処理部３４が出力した下り制御メッセージのうちＰＤＣＣＨから自装置に向けた下りデータがあるか否か判定し、自装置に割り当てられた上りリンクのサブフレームがあるか否かを判定して、それぞれの判定結果を上位レイヤ処理部３９に出力する。測定処理部３６は、受信信号処理部３４が出力した参照信号を用いてスケジューリングや適応制御に使われるＣＱＩ（Channel Quality Indicator；チャネル品質）を算出して、算出したＣＱＩを上位レイヤ処理部３９に出力する。
上位レイヤ処理部３９は、自装置に向けた下りデータの割り当てがある場合、制御メッセージ処理部３５が出力した下り制御メッセージに含まれるサブフレームの割り当てを検出し、割り当てられたサブフレームに応じた受信制御信号を受信帯域設定部３１に出力すると共に、割り当てられたサブフレームに応じた移動局下りスケジューリング情報を受信信号処理制御部３３に出力する。受信信号処理部３４は、受信部３２が出力した変調シンボルから、受信信号処理制御部３３の制御に応じて自装置宛に送信された下りデータを復調して上位レイヤ処理部３９に出力する（ステップＢ４２）。
【００８３】
＜４−３：移動局装置２０における処理＞
上述のステップＳ４４に続いて、移動局装置２０は、移動局装置３０と同様の動作にて、基地局装置１０から「ＥＵＴＲＡと互換性のあるユニキャスト送信」により送信された下りデータを以下の処理により受信する。移動局装置２０において、上位レイヤ処理部２９は、受信帯域設定部２１に受信制御情報を出力し、受信信号処理制御部２３に移動局下りスケジューリング情報を出力する。受信帯域設定部２１は、上位レイヤ処理部２９が出力した受信制御情報に応じた受信タイミング、多重方法、無線リソース配置により、受信部２２が基地局装置１０から送信された信号を受信する制御を行う。受信部２２は、受信帯域設定部２１の制御に応じて、基地局装置１０から受信して得られた変調シンボルを受信信号処理部２４に出力する。
【００８４】
受信信号処理制御部２３は、上位レイヤ処理部２９が出力した移動局下りスケジューリング情報に応じた変調方式、符号化方式、符号化率などにより、受信信号処理部２４が変調シンボルから下り制御メッセージと、参照信号とを復調する制御を行う。受信信号処理部２４は、受信部２２が出力した変調シンボルから、受信信号処理制御部２３の制御に応じて下り制御メッセージと、参照信号とを復調し、復調した下り制御メッセージを制御メッセージ処理部２７に出力し、復調した参照信号を測定処理部２８に出力する。
【００８５】
制御メッセージ処理部２７は、受信信号処理部２４が出力した下り制御メッセージのうちＰＤＣＣＨから自装置に向けた下りデータがあるか否かを判定し、自装置に割り当てられた上りリンクのサブフレームがあるか否かを判定し、それぞれの判定結果を上位レイヤ処理部２９に出力する。測定処理部２８は、受信信号処理部２４が出力した参照信号を用いてスケジューリングや適応制御に使われるＣＱＩを算出し、算出したＣＱＩを上位レイヤ処理部２９に出力する。
上位レイヤ処理部２９は、自装置に向けた下りデータがある場合、制御メッセージ処理部２７が出力した下り制御メッセージに含まれるサブフレームの割り当てを検出し、割り当てられたサブフレームをＥＵＴＲＡサブフレームとし、ＥＵＴＲＡサブフレームに応じた受信制御信号を受信帯域設定部２１に出力すると共に、割り当てられたサブフレームに応じた移動局下りスケジューリング情報を受信信号処理制御部２３に出力する。受信信号処理部２４は、受信部２２が出力した変調シンボルから、受信信号処理制御部２３の制御に応じて自装置宛に送信された下りデータを復調して上位レイヤ処理部２９に出力する（ステップＣ４４）。
【００８６】
＜５＞Ａ−ＥＵＴＲＡにおけるリレー局装置に向けた送信をする処理
＜５−１：基地局装置１０における処理＞
上述のステップＣ４２により、多目的ＭＢＳＦＮサブフレームのうち利用用途「Ａ−ＥＵＴＲＡにおけるリレー局装置に向けた送信」に用いる多目的ＭＢＳＦＮサブフレーム（リレーサブフレーム）が設定された後に以下の処理が行われる。
基地局装置１０において、上位レイヤ処理部１９は、基地局下りスケジューリング情報を送信信号処理部１４に出力し、送信制御情報を送信帯域設定部１６に出力し、「ＥＵＴＲＡと互換性のあるユニキャスト送信」を示すサブフレーム情報をマルチキャスト制御信号生成部１１に出力し、下りデータを送信信号処理部１４に出力し、「ＥＵＴＲＡと互換性のあるユニキャスト送信」における制御情報、例えば、ＰＤＣＣＨの信号などの送信先を示す情報などを下りメッセージ生成部１２に出力する。
【００８７】
マルチキャスト制御信号生成部１１は、入力されたサブフレーム情報がＥＵＴＲＡのフレーム構造と互換性のないものと判定し、入力されたサブフレーム情報に対応付けられたＳＴＡ  ＩＤ、例えば、＃１３０を利用用途テーブル１１Ａから読み出して、読み出したＳＴＡ  ＩＤを下りメッセージ生成部１２に出力する。下りメッセージ生成部１２は、上位レイヤ処理部１９から入力された制御信号と、マルチキャスト制御信号生成部１１から入力されたＳＴＡ  ＩＤとから、ＳＴＡ  ＩＤを含む下り制御メッセージを生成して送信信号処理部１４に出力する。下りメッセージ生成部１２は、上位レイヤ処理部１９が出力した制御情報に応じた下り制御メッセージを生成して送信信号処理部１４に出力する。
送信信号処理制御部１３は、上位レイヤ処理部１９が出力した基地局下りスケジューリング情報に応じて、送信信号処理部１４が下り制御メッセージと下りデータとをそれぞれ変調シンボルに変調する制御を行う。送信信号処理部１４は、上位レイヤ処理部１９が出力した下りデータと、下りメッセージ生成部１２が出力した下り制御メッセージとをそれぞれを変調して変調シンボルを生成し、生成した変調シンボルをチャネルマッピング部１５に出力する。
【００８８】
チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に応じて、送信部１７が行う送信を制御する。送信部１７は、チャネルマッピング部１５がマッピングした変調シンボルを、送信帯域設定部１６の制御に応じて、多目的ＭＢＳＦＮサブフレームのうちリレーサブフレームに割り当てたサブフレームに割り当て、アナログ信号に変換し、変換したアナログ信号を搬送波周波数にアップコンバートして移動局装置２０、３０に送信する（ステップＳ４５）。
【００８９】
＜５−２：移動局装置３０における処理＞
上述のステップＳ４４に続いて、移動局装置３０において、上位レイヤ処理部３９は、ステップＢ４１の処理により、基地局装置１０が送信したサブフレームが多目的ＭＢＦＳＮサブフレームに割り当てられていることを記憶しているので、ＰＤＣＣＨの信号の復調を行い、自装置宛の上りリンクの割り当てなどの検出を行うと共に、多目的ＭＢＦＳＮサブフレームの各スロットの先頭の２ＯＦＤＭシンボルに含まれる参照信号を用いて、チャネル推定を行う処理の制御を行う。上位レイヤ処理部３９は、上述のチャネル推定を行うために、受信帯域設定部３１に受信制御情報を出力し、受信信号処理制御部３３に移動局下りスケジューリング情報を出力する。
受信帯域設定部３１は、上位レイヤ処理部３９が出力した受信信号制御情報に応じた受信タイミング、多重方法、無線リソース配置により、受信部３２が行う受信を制御する。受信部３２は、受信帯域設定部３１の制御に応じて、基地局装置１０から受信して得られた変調シンボルを受信信号処理部３４に出力する。
【００９０】
受信信号処理制御部３３は、上位レイヤ処理部３９が出力した移動局下りスケジューリング情報に応じて、受信信号処理部３４が変調シンボルから各スロットの先頭の２ＯＦＤＭシンボルに含まれる参照信号と、ＰＤＣＣＨの信号を復調する制御を行う。受信信号処理部３４は、受信部３２が出力した変調シンボルから、受信信号処理制御部３３の制御に応じて参照信号と、ＰＤＣＣＨの信号とを復調し、復調した参照信号を測定処理部３６に出力し、復調したＰＤＣＣＨの信号を制御メッセージ処理部３５に出力する。測定処理部３６は、受信信号処理部３４が出力した参照信号を用いてＣＱＩを算出し、算出したＣＱＩを上位レイヤ処理部３９に出力する。制御メッセージ処理部３５は、受信信号処理部３４が出力したＰＤＣＣＨの信号により、自装置に割り当てられた上りリンクのサブフレームがあるか否かを判定して、その結果を上位レイヤ処理部３９に出力する（ステップＢ４３）。
【００９１】
＜５−３：移動局装置２０における処理＞
上述のステップＳ４５に続いて、移動局装置２０は、移動局装置３０と同様の動作にて、基地局装置１０による「Ａ−ＥＵＴＲＡにおけるリレー局装置に向けた送信」に対して以下の処理を行う。移動局装置２０において、上位レイヤ処理部２９は、受信帯域設定部２１に受信制御情報を出力し、受信信号処理制御部２３に移動局下りスケジューリング情報を出力する。
受信帯域設定部２１は、上位レイヤ処理部２９が出力した受信制御情報に応じて受信部２２が基地局装置１０から送信された信号を受信する制御を行う。受信部２２は、受信帯域設定部２１の制御に応じて、基地局装置１０から受信して得られた変調シンボルを受信信号処理部２４に出力する。
受信信号処理制御部２３は、上位レイヤ処理部２９が出力した移動局下りスケジューリング情報に応じて受信信号処理部２４が変調シンボルから下り制御メッセージと、参照信号とを復調する制御を行う。受信信号処理部２４は、受信部２２が出力した変調シンボルから、受信信号処理制御部２３の制御に応じて下り制御メッセージと、各スロットの先頭の２ＯＦＤＭシンボルに配置されている参照信号とを復調し、復調した下り制御メッセージを制御メッセージ処理部２７に出力し、復調した参照信号を測定処理部２８に出力する。
【００９２】
制御メッセージ処理部２７は、受信信号処理部２４が出力した下り制御メッセージのＳＴＡ  ＩＤを検出し、ＳＴＡ  ＩＤ（＃１３０）をマルチキャスト処理部２５に出力する。マルチキャスト処理部２５は、制御メッセージ処理部２７が出力したＳＴＡ  ＩＤに対応する利用用途「Ａ−ＥＵＴＲＡにおけるリレー局装置に向けた送信」を利用用途テーブル２５Ａから読み出して制御メッセージ処理部２７に出力する。また、制御メッセージ処理部２７は、利用用途が「Ａ−ＥＵＴＲＡにおけるリレー局装置に向けた送信」である場合、下り制御メッセージに含まれるＰＤＣＣＨから自装置に向けた下りデータがあるか否かの判定は行わずに、自装置に割り当てられた上りリンクのサブフレームがあるか否かのみを判定して、その判定結果を上位レイヤ処理部２９に出力する。測定処理部２８は、受信信号処理部２４が出力した各スロットの先頭の２ＯＦＤＭシンボルに配置されている参照信号を用いてスケジューリングや適応制御に使われるＣＱＩを算出し、算出したＣＱＩを上位レイヤ処理部２９に出力する（ステップＣ４５）。
上述のように、移動局装置２０は、ＳＦＡ  ＩＤにより多目的ＭＢＳＦＮサブフレームの利用用途「Ａ−ＥＵＴＲＡにおけるリレー局装置向け送信」を検出することができる。
【００９３】
＜６：Ａ−ＥＵＴＲＡサブフレームとして８アンテナ送信する処理＞
＜６−１：基地局装置１０における処理＞
上述のステップＣ４２により、多目的ＭＢＳＦＮサブフレームのうち利用用途「Ａ−ＥＵＴＲＡサブフレームとして８アンテナ送信」に用いる多目的ＭＢＳＦＮサブフレーム（Ａ−ＥＵＴＲＡサブフレーム）が設定された後に以下の処理が行われる。
基地局装置１０において、上位レイヤ処理部１９は、「Ａ−ＥＵＴＲＡにおける８アンテナ送信」を示すサブフレーム情報をマルチキャスト制御信号生成部１１に出力し、基地局下りスケジューリング情報を送信信号処理部１４に出力し、送信制御情報を送信帯域設定部１６に出力し、「Ａ−ＥＵＴＲＡにおける８アンテナ送信」の制御信号、例えば、送信先を示す情報などを下りメッセージ生成部１２に出力する。
マルチキャスト制御信号生成部１１は、入力されたサブフレーム情報がＥＵＴＲＡのフレーム構造と互換性のないものと判定し、入力されたサブフレーム情報に対応付けられたＳＴＡ  ＩＤ、例えば、＃１９５を利用用途テーブル１１Ａから読み出して、読み出したＳＴＡ  ＩＤを下りメッセージ生成部１２に出力する。
【００９４】
下りメッセージ生成部１２は、上位レイヤ処理部１９から入力された制御信号と、マルチキャスト制御信号生成部１１から入力されたＳＴＡ  ＩＤとから、ＳＴＡ  ＩＤを含む下り制御メッセージを生成して送信信号処理部１４に出力する。下りメッセージ生成部１２は、上位レイヤ処理部１９が出力した制御情報に応じた下り制御メッセージを生成して送信信号処理部１４に出力する。
送信信号処理制御部１３は、上位レイヤ処理部１９が出力した基地局下りスケジューリング情報に応じて、送信信号処理部１４が下り制御メッセージと下りデータとをそれぞれ変調シンボルに変調する制御を行う。送信信号処理部１４は、上位レイヤ処理部１９が出力した下りデータと、下りメッセージ生成部１２が出力した下り制御メッセージとをそれぞれを変調して変調シンボルを生成し、生成した変調シンボルをチャネルマッピング部１５に出力する。
【００９５】
チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に応じて、送信部１７が行う送信を制御する。送信部１７は、チャネルマッピング部１５がマッピングした変調シンボルを、送信帯域設定部１６の制御に応じて、多目的ＭＢＳＦＮサブフレームのうちＡ−ＥＵＴＲＡサブフレームに割り当てたサブフレームに割り当て、アナログ信号に変換し、変換したアナログ信号を搬送波周波数にアップコンバートして移動局装置２０、３０に送信する（ステップＳ４６）。
【００９６】
＜６−２：移動局装置３０における処理＞
移動局装置３０における処理（ステップＢ４４）は、上述のステップＢ４３の処理と同じであるので、その説明を省略する。
【００９７】
＜６−３：移動局装置２０における処理＞
上述のステップＳ４６に続いて、移動局装置２０は、移動局装置３０と同様の動作にて、基地局装置１０による「Ａ−ＥＵＴＲＡサブフレームとして８アンテナ送信」に対して以下の処理を行う。移動局装置２０において、上位レイヤ処理部２９は、受信帯域設定部２１に受信制御情報を出力し、受信信号処理制御部２３に移動局下りスケジューリング情報を出力する。
受信帯域設定部２１は、上位レイヤ処理部２９が出力した受信制御情報に応じて受信部２２が基地局装置１０から送信された信号を受信する制御を行う。受信部２２は、受信帯域設定部の制御に応じて、基地局装置１０から受信して得られた変調シンボルを受信信号処理部２４に出力する。
受信信号処理制御部２３は、上位レイヤ処理部２９が出力した移動局下りスケジューリング情報に応じて受信信号処理部２４が変調シンボルから下り制御メッセージと、参照信号とを復調する制御を行う。受信信号処理部２４は、受信部２２が出力した変調シンボルから、受信信号処理制御部２３の制御に応じて下り制御メッセージと、参照信号とを復調し、復調した下り制御メッセージを制御メッセージ処理部２７に出力し、復調した参照信号を測定処理部２８に出力する。
【００９８】
制御メッセージ処理部２７は、受信信号処理部２４が出力した下り制御メッセージのＳＴＡ  ＩＤを検出し、ＳＴＡ  ＩＤ（＃１９５）をマルチキャスト処理部２５に出力する。マルチキャスト処理部２５は、制御メッセージ処理部２７が出力したＳＴＡ  ＩＤに対応する利用用途「Ａ−ＥＵＴＲＡサブフレームとして８アンテナ送信」を利用用途テーブル２５Ａから読み出して制御メッセージ処理部２７に出力する。また、制御メッセージ処理部２７は、利用用途が「Ａ−ＥＵＴＲＡサブフレームとして８アンテナ送信」である場合、下り制御メッセージに含まれるＰＤＣＣＨから自装置に向けた下りデータがあるか否かを判定し、自装置に割り当てられた上りリンクのサブフレームがあるか否かと判定し、それぞれの判定結果と利用用途「Ａ−ＥＵＴＲＡサブフレームとして８アンテナ送信」とを上位レイヤ処理部２９に出力する。
【００９９】
上位レイヤ処理部２９は、自装置に向けた下りデータがある場合、「Ａ−ＥＵＴＲＡにおける８アンテナ送信」に応じた受信制御信号を受信帯域設定部２１に出力すると共に、割り当てられたサブフレームに応じた移動局下りスケジューリング情報を受信信号処理制御部２３に出力する。受信信号処理部２４は、受信部２２が出力した変調シンボルから、受信信号処理制御部２３による制御と、フレーム構成記憶部２６に記憶されているフレーム構成情報とに応じて、下りデータと、利用用途「Ａ−ＥＵＴＲＡにおける８アンテナ送信」に対応して多目的ＭＢＳＦＮサブフレームに割り当てられた伝搬路推定用参照信号及び測定用参照信号とを復調する。このとき、受信信号処理部２４は、復調した伝搬路推定用参照信号を用いてチャネル推定をし、復調した下りデータと測定用参照信号とに対して伝搬路補償を行う。また、受信信号処理部２４は、復調した下りデータを上位レイヤ処理部２９に出力し、復調した測定用参照信号を測定処理部２８に出力する。測定処理部２８は、受信信号処理部２４が出力した測定用参照信号を用いてスケジューリングや適応制御に使われるＣＱＩを算出し、算出したＣＱＩを上位レイヤ処理部２９に出力する（ステップＣ４６）。
【０１００】
上述のように、移動局装置２０は、ＳＦＡ  ＩＤにより多目的ＭＢＳＦＮサブフレームの利用用途「Ａ−ＥＵＴＲＡにおける８アンテナ送信」を検出し、検出した利用用途に応じたフレーム構造情報により示される多目的ＭＢＳＦＮサブフレームにおけるＡ−ＥＵＴＲＡサブフレームの配置、及び、Ａ−ＥＵＴＲＡサブフレームにおける伝搬路推定用参照信号及び測定用参照信号の配置を示す情報を用いて受信信号の処理を行う。また、移動局装置２０は、基地局装置１０から受信した信号より、ＰＤＣＣＨの信号、伝搬路測定用参照信号、及び、測定用参照信号を復調し、復調したＰＤＣＣＨの信号及び測定用参照信号に対して伝搬路補償を行うことにより、利用用途「Ａ−ＥＵＴＲＡにおける８アンテナ送信」の通信品質を、ＰＤＣＣＨに含まれる参照信号のみを用いる場合に比べ、向上させることができる。
【０１０１】
＜７：ＭＢＳＦＮサブフレームによるＭＢＭＳ送信する処理＞
＜７−１：基地局装置１０における処理＞
上述のステップＣ４２により、多目的ＭＢＳＦＮサブフレームのうち利用用途「ＭＢＳＦＮサブフレームによるＭＢＭＳ送信」に用いる多目的ＭＢＳＦＮサブフレーム（ＭＢＳＦＮサブフレーム）が設定された後に以下の処理が行われる。
基地局装置１０において、上位レイヤ処理部１９は、「ＭＢＳＦＮサブフレームによるＭＢＭＳ送信」を示すサブフレーム情報をマルチキャスト制御信号生成部１１に出力し、基地局下りスケジューリング情報を送信信号処理部１４に出力し、送信制御情報を送信帯域設定部１６に出力し、「ＭＢＳＦＮサブフレームによるＭＢＭＳ送信」の制御信号を下りメッセージ生成部１２に出力する。
【０１０２】
マルチキャスト制御信号生成部１１は、入力されたサブフレーム情報がＥＵＴＲＡのフレーム構造と互換性のないものと判定し、入力されたサブフレーム情報に対応付けられたＳＴＡ  ＩＤ、例えば、＃１を利用用途テーブル１１Ａから読み出して、読み出したＳＴＡ  ＩＤを下りメッセージ生成部１２に出力する。下りメッセージ生成部１２は、上位レイヤ処理部１９から入力された制御信号と、マルチキャスト制御信号生成部１１から入力されたＳＴＡ  ＩＤとから、ＳＴＡ  ＩＤを含む下り制御メッセージを生成して送信信号処理部１４に出力する。下りメッセージ生成部１２は、上位レイヤ処理部１９が出力した制御情報に応じた下り制御メッセージを生成して送信信号処理部１４に出力する。
送信信号処理制御部１３は、上位レイヤ処理部１９が出力した基地局下りスケジューリング情報に応じて、送信信号処理部１４が下り制御メッセージと下りデータとをそれぞれ変調シンボルに変調する制御を行う。送信信号処理部１４は、上位レイヤ処理部１９が出力した下りデータと、下りメッセージ生成部１２が出力した下り制御メッセージとをそれぞれを変調して変調シンボルを生成し、生成した変調シンボルをチャネルマッピング部１５に出力する。
【０１０３】
チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に応じて、送信部１７が行う送信を制御する。送信部１７は、チャネルマッピング部１５がマッピングした変調シンボルを、送信帯域設定部１６の制御に応じて、多目的ＭＢＳＦＮサブフレームのうちＭＢＳＦＮサブフレームに割り当てたサブフレームに割り当て、アナログ信号に変換し、変換したアナログ信号を搬送波周波数にアップコンバートして移動局装置２０、３０に送信する（ステップＳ４７）。
【０１０４】
＜７−２：移動局装置３０における処理＞
移動局装置３０における処理（ステップＢ４５）は、上述のステップＢ４３の処理と同じであるので、その説明を省略する。
【０１０５】
＜７−３：移動局装置２０における処理＞
上述のステップＳ４７に続いて、移動局装置２０は、移動局装置３０と同様の動作にて、基地局装置１０による「ＭＢＳＦＮサブフレームによるＭＢＭＳ送信」に対して以下の処理を行う。移動局装置２０において、上位レイヤ処理部２９は、受信帯域設定部２１に受信制御情報を出力し、受信信号処理制御部２３に移動局下りスケジューリング情報を出力する。
受信帯域設定部２１は、上位レイヤ処理部２９が出力した受信制御情報に応じて受信部２２が基地局装置１０から送信された信号を受信する制御を行う。受信部２２は、受信帯域設定部の制御に応じて、基地局装置１０から受信して得られた変調シンボルを受信信号処理部２４に出力する。
受信信号処理制御部２３は、上位レイヤ処理部２９が出力した移動局下りスケジューリング情報に応じて受信信号処理部２４が変調シンボルから下り制御メッセージと、参照信号とを復調する制御を行う。受信信号処理部２４は、受信部２２が出力した変調シンボルから、受信信号処理制御部２３の制御に応じて下り制御メッセージと、参照信号とを復調し、復調した下り制御メッセージを制御メッセージ処理部２７に出力し、復調した参照信号を測定処理部２８に出力する。
【０１０６】
制御メッセージ処理部２７は、受信信号処理部２４が出力した下り制御メッセージのＳＴＡ  ＩＤを検出し、ＳＴＡ  ＩＤ（＃１）をマルチキャスト処理部２５に出力する。マルチキャスト処理部２５は、制御メッセージ処理部２７が出力したＳＴＡ  ＩＤに対応する利用用途「ＭＢＳＦＮサブフレームによるＭＢＭＳ送信」を利用用途テーブル２５Ａから読み出して制御メッセージ処理部２７に出力する。また、制御メッセージ処理部２７は、利用用途が「ＭＢＳＦＮサブフレームによるＭＢＭＳ送信」である場合、自装置に割り当てられた上りリンクのサブフレームがあるか否かを判定して、その判定結果と利用用途「ＭＢＳＦＮサブフレームによるＭＢＭＳ送信」とを上位レイヤ処理部２９に出力する。測定処理部２８は、受信信号処理部２４が出力した参照信号を用いてスケジューリングや適応制御に使われるＣＱＩを算出し、算出したＣＱＩを上位レイヤ処理部２９に出力する。
【０１０７】
上位レイヤ処理部２９は、利用用途が「ＭＢＳＦＮサブフレームによるＭＢＭＳ送信」を受信するとき、「ＭＢＳＦＮサブフレームによるＭＢＭＳ送信」に応じた受信制御信号を受信帯域設定部２１に出力すると共に、割り当てられたサブフレームに応じた移動局下りスケジューリング情報を受信信号処理制御部２３に出力する。受信信号処理部２４は、受信部２２が出力した変調シンボルから、受信信号処理制御部２３による制御と、フレーム構成記憶部２６に記憶されているフレーム構成情報とに応じて、下りデータと、利用用途「ＭＢＳＦＮサブフレームによるＭＢＭＳ送信」に対応して多目的ＭＢＳＦＮサブフレームのうちのＭＢＳＦＮサブフレームに割り当てられた伝搬路推定用参照信号及び測定用参照信号とを復調する。このとき、受信信号処理部２４は、復調した伝搬路推定用参照信号を用いてチャネル推定をし、復調した下りデータと測定用参照信号とに対して伝搬路補償を行う。また、受信信号処理部２４は、復調した下りデータを上位レイヤ処理部２９に出力し、復調した測定用参照信号を測定処理部２８に出力する。測定処理部２８は、受信信号処理部２４が出力した測定用参照信号を用いてスケジューリングや適応制御に使われるＣＱＩを算出し、算出したＣＱＩを上位レイヤ処理部２９に出力する（ステップＣ４７）。
【０１０８】
上述のように、移動局装置２０は、ＳＦＡ  ＩＤにより多目的ＭＢＳＦＮサブフレームの利用用途「ＭＢＳＦＮサブフレームによるＭＢＭＳ送信」を検出し、検出した利用用途に応じたフレーム構造情報により示される多目的ＭＢＳＦＮサブフレームにおけるＭＢＳＦＮサブフレームの配置、及び、ＭＢＳＦＮサブフレームにおける伝搬路推定用参照信号及び測定用参照信号の配置を示す情報を用いて受信信号の処理を行う。また、移動局装置２０は、基地局装置１０から受信した信号より、ＰＤＣＣＨの信号、伝搬路測定用参照信号、及び、測定用参照信号を復調し、復調したＰＤＣＣＨの信号及び測定用参照信号に対して伝搬路補償を行うことにより、利用用途「ＭＢＳＦＮサブフレームによるＭＢＭＳ送信」の通信品質を、ＰＤＣＣＨに含まれる参照信号のみを用いる場合に比べ、向上させることができる。
【０１０９】
上述のように、Ａ−ＥＵＴＲＡの仕様に基づく基地局装置１０は、ＭＢＭＳの複数サービスエリアの識別子であるＳＦＡ  ＩＤに、「リレー局装置向け送信」や、「８アンテナ送信」などのＥＵＴＲＡと互換性のない送信方法を割り当てることにより、ＥＵＴＲＡの仕様に基づく移動局装置３０に対して、バックワードコンパチビリティを保ちつつ、「リレー局装置向け送信」や、「８アンテナ送信」などの新たな機能を追加することができる。また、Ｐ−ＭＣＣＨの信号を用いてＳＦＡ  ＩＤを通知するようにしたことにより、機能を通知するための通信量の増加を防ぐことができる。
【０１１０】
また、新たな機能に割り当てる「リレー局装置向け送信」や、「８アンテナ送信」用のサブフレームをブロードキャスト信号であるＢＣＣＨの信号に含まれるＳＩＢなどを用いて移動局装置に報知する場合、割り当てるサブフレームが替わるごとにＳＩＢを全ての移動局装置に報知する必要があったが、本実施形態のようにＰ−ＭＣＣＨの信号により多目的ＭＢＳＦＮサブフレームをそれぞれの利用用途に割り当てるサブフレームを通知する方法では、Ｐ−ＭＣＣＨの信号により、データを受信する移動端末装置のみに通知することができるので、無線通信システム全体の通信量の増加を防ぐことができる。
【０１１１】
＜第２実施形態＞
次に、第２実施形態のフレーム構成を識別するシーケンスについて説明する。なお、本実施形態における基地局装置及び移動局装置の構成は、第１実施形態における基地局装置１０のマルチキャスト制御信号生成部１１の動作と、移動局装置２０のマルチキャスト処理部２５及び受信信号処理制御部２３の動作とが以下のように異なる点を除いて、第１実施形態の基地局装置１０、移動局装置２０、３０と同じであり、対応する箇所の説明は省略する。
【０１１２】
第２実施形態における基地局装置１０のマルチキャスト制御信号生成部１１は、第１実施形態のマルチキャスト制御信号生成部１１の動作に加えて、上位レイヤ処理部１９から複数のサブフレーム情報が入力されると、２種類のＭＣＣＨの信号を出力する。一方のＭＣＣＨは、Ｐ−ＭＣＣＨ（Primary Multicast Control Channel；プライマリマルチキャスト制御チャネル）の信号であり、他方は、Ｓ−ＭＣＣＨ（Secondary Multicast Control Channel；セカンダリマルチキャスト制御チャネル）の信号を出力する。この１つのＰ−ＭＣＣＨの信号が、複数のＳ−ＭＣＣＨの信号が割り当てられるサブフレームを指定し、複数のＳ−ＭＣＣＨの信号それぞれには、利用用途と、当該利用用途に割り当てられる多目的ＭＢＳＦＮサブフレームとを対応付けて示す情報が含まれる階層構造している。
【０１１３】
図５は、本実施形態におけるマルチキャスト制御信号生成部１１の出力するＰ−ＭＣＣＨとＳ−ＭＣＣＨとの関係の一例を示す概略図である。横軸方向は、時間を示している。図５に示す例では、Ｐ−ＭＣＣＨの信号には、サブフレーム＃０に配置されるＢＣＣＨの信号により、サブフレーム＃２が割り当てられる。サブフレーム＃２に割り当てられるＰ−ＭＣＣＨの信号により、３つのＳ−ＭＣＣＨがそれぞれ、サブフレーム＃４、＃５、＃６に割り当てられ移動局装置２０に対して送信される。
【０１１４】
それぞれのＳ−ＭＣＣＨは、利用用途を示す情報と、当該利用用途に対応付けられたＳＦＡ  ＩＤと、当該利用用途に割り当てられる多目的ＭＢＳＦＮサブフレームの割り当てを示す情報とが含まれる。
図５に示す例では、サブフレーム＃４に割り当てられたＳ−ＭＣＣＨには、利用用途「ＭＢＳＦＮサブフレームによるＭＢＭＳ送信」を示す情報と、当該利用用途のＳＦＡ  ＩＤ（図示せず）と、「ＭＢＳＦＮサブフレームによるＭＢＭＳ送信」に割り当てられるサブフレーム＃８及び次の無線フレームにおけるサブフレーム＃５を示す情報とが含まれる。
【０１１５】
また、サブフレーム＃５に割り当てられたＳ−ＭＣＣＨには、利用用途「Ａ−ＥＵＴＲＡにおけるリレー局装置に向けた送信」を示す情報と、当該利用用途のＳＦＡ  ＩＤ（図示せず）と、「Ａ−ＥＵＴＲＡにおけるリレー局装置に向けた送信」に割り当てられた次の無線フレームのサブフレーム＃０を示す情報とが含まれる。
同様に、サブフレーム６に割り当てられたＳ−ＭＣＣＨには、利用用途「Ａ−ＥＵＴＲＡサブフレームとして８アンテナ送信」を示す情報と、当該利用用途のＳＦＡ  ＩＤ（図示せず）と、「Ａ−ＥＵＴＲＡサブフレームとして８アンテナ送信」に割り当てられた次の無線フレームのサブフレーム＃３を示す情報とが含まれる。
【０１１６】
移動局装置２０のマルチキャスト処理部２５は、上述したようにＰ−ＭＣＣＨの信号とＳ−ＭＣＣＨの信号とが階層構造をなしているので、Ｐ−ＭＣＣＨの信号が入力されると、Ｓ−ＭＣＣＨの信号が割り当てられたサブフレームの情報を検出して、受信信号処理制御部２３に出力する。受信信号処理制御部２３は、受信信号処理部２４を制御して、マルチキャスト処理部２５より入力されるＳ−ＭＣＣＨの信号が割り当てられたサブフレームの情報により、Ｓ−ＭＣＣＨの信号を変調してマルチキャスト処理部２５に出力する。
【０１１７】
図６は、第２実施形態における基地局装置１０（基地局Ａ）と、Ａ−ＥＵＴＲＡ移動局装置２０と、ＥＵＴＲＡの仕様に基づく移動局装置（移動局１）との動作の一例を示すシーケンス図である。図６に示す一例のように、無線通信システムにおける下りリンクの通信が行われる。
多目的ＭＢＳＦＮサブフレームを割り当てる処理における、基地局装置１０がいずれのサブフレームを多目的ＭＢＳＦＮサブフレームに割り当てるかを示す情報を移動局装置２０、３０に報知する処理（ステップＳ５１、Ｂ５１、Ｃ５１）は、第１実施形態の処理（ステップＳ４１、Ｂ４１、Ｃ４１）と同じであるのでその説明を省略する。
【０１１８】
＜９＞多目的ＭＢＳＦＮサブフレームと利用用途とを対応付ける処理
＜９−１：基地局装置１０における処理＞
次に、上述のステップＳ５１、Ｂ５１、Ｃ５１に続いて、基地局装置１０において、上位レイヤ処理部１９は、送信帯域設定部１６に送信制御情報を出力し、送信信号処理制御部１３に基地局下りスケジューリング情報を出力し、送信信号処理部１４にＰ−ＭＣＣＨの信号及びＳ−ＭＣＣＨの信号を報知する下り制御情報を出力し、下りリンクにて使用する無線フレームにおいて多目的ＭＢＳＦＮサブフレームに割り当てるサブフレームの位置を示す情報を下りメッセージ生成部１２に出力する。また、上位レイヤ処理部１９は、利用用途を示す複数のサブフレーム情報と、それぞれの利用用途に割り当てられる無線フレームにおける多目的ＭＢＦＳＮサブフレームを示す情報と、それぞれの利用用途に応じた伝搬路推定用参照信号及び測定用参照信号が割り当てられている多目的ＭＢＳＦＮサブフレームを示す情報とをマルチキャスト制御信号生成部１１に出力する。
【０１１９】
送信信号処理制御部１３は、上位レイヤ処理部１９が出力した基地局下りスケジューリング情報、例えば、変調方式、符号化方式、符号化率などの情報に応じて、送信信号処理部１４がＰ−ＭＣＣＨの信号を変調シンボルに変調する制御を行う。
マルチキャスト制御信号生成部１１は、入力された複数のサブフレーム情報（利用用途）それぞれに対応するＳＦＡ  ＩＤを利用用途テーブル１１Ａから読み出して、読み出したＳＦＡ  ＩＤと、当該利用用途に割り当てられる多目的ＭＢＦＳＮサブフレームの位置を示す情報とを含むＳ−ＭＣＣＨの信号を利用用途ごとに生成し、生成した複数のＳ−ＭＣＣＨの信号が割り当てられるサブフレームを示すＰ−ＭＣＣＨの信号を生成し、生成したＰ−ＭＣＣＨの信号と複数のＳ−ＭＣＣＨの信号とを送信信号処理部１４に出力する。
【０１２０】
送信信号処理部１４は、マルチキャスト制御信号生成部１１が出力したＰ−ＭＣＣＨの信号を、送信信号処理制御部１３の制御に応じて変調シンボルに変調してチャネルマッピング部１５に出力する。チャネルマッピング部１５は、送信信号処理部１４が出力した変調シンボルをそれぞれ物理チャネルにマッピングして送信部１７に出力する。
送信帯域設定部１６は、上位レイヤ処理部１９が出力した送信信号制御情報に示される送信タイミング、多重方法、無線リソースの割り当てに応じて、送信部１７が行う送信を制御する。送信部１７は、チャネルマッピング部１５がマッピングした変調シンボルを、送信帯域設定部１６の制御に応じて、アナログ信号に変換し、変換したアナログ信号を搬送波周波数にアップコンバートして移動局装置２０にＰ−ＭＣＣＨ、Ｓ−ＭＣＣＨ１、Ｓ−ＭＣＣＨ２の順に送信する（ステップＳ５２、Ｓ５３、Ｓ５４）
【０１２１】
＜９−２：移動局装置２０における処理＞
上述のステップＳ４３に続いて、移動局装置２０において、上位レイヤ処理部２９は、受信帯域設定部２１に受信制御情報を出力し、受信信号処理制御部２３に移動局下りスケジューリング情報を出力する。
受信帯域設定部２１は、上位レイヤ処理部２９が出力した受信制御情報に応じた、受信部２２が行う受信を制御する。受信部２２は、受信帯域設定部２１の制御に応じて、基地局装置１０から受信した信号を変換して得られた変調シンボルを受信信号処理部２４に出力する。
受信信号処理制御部２３は、上位レイヤ処理部２９が出力した移動局下りスケジューリング情報に応じた変調方式、符号化方式、符号化率などにより、受信信号処理部２４が変調シンボルからＰ−ＭＣＣＨの信号を復調する制御を行う。受信信号処理部２４は、受信部２２が出力した変調シンボルから、受信信号処理制御部２３の制御に応じてＰ−ＭＣＣＨの信号を復調してマルチキャスト処理部２５に出力する。
【０１２２】
マルチキャスト処理部２５は、受信信号処理部２４が出力したＰ−ＭＣＣＨに含まれるＳ−ＭＣＣＨの信号が割り当てられたサブフレームの位置を示す情報を検出し（ステップＣ５２）、検出した当該情報を受信信号処理制御部２３に出力する。受信信号処理制御部２３は、マルチキャスト処理部２５から入力されたＳ−ＭＣＣＨが割り当てられたサブフレームの位置を示す情報に応じて、受信信号処理部２４を制御し、受信信号処理部２４がＳ−ＭＣＣＨ１の信号、Ｓ−ＭＣＣＨ２の信号を復調してマルチキャスト処理部２５に出力する制御をする。
マルチキャスト処理部２５は、受信信号処理部２４が出力したＳ−ＭＣＣＨ１の信号及びＳ−ＭＣＣＨ２の信号それぞれに含まれる利用用途と、当該利用用途に対応付けられたＳＦＡ  ＩＤと、当該利用用途に割り当てられる多目的ＭＢＦＳＮサブフレームの位置を示す情報と、当該利用用途に応じた伝搬路推定用参照信号及び測定用参照信号が割り当てられている多目的ＭＢＳＦＮサブフレームを示す情報とを対応付けてフレーム構成記憶部２６に書き込んで記憶させる（ステップＣ５３、Ｃ５４）。
上述の処理により、移動局装置２０のフレーム構成記憶部２６には、ＳＦＡ  ＩＤと、利用用途と、利用用途に使用される多目的ＭＢＳＦＮサブフレームの位置とが対応付けられて記憶される。
【０１２３】
また、Ａ−ＥＵＴＲＡにおけるリレー局装置に向けた送信をする処理（ステップＳ５５、Ｂ５２、Ｃ５５）は、第１実施形態の処理（ステップＳ４５、Ｂ４３、Ｃ４４）と同様であるのでその説明を省略する。
また、Ａ−ＥＵＴＲＡサブフレームとして８アンテナ送信する処理（ステップＳ５６、Ｂ５３、Ｃ５６）は、同様に、第１実施形態の処理（ステップＳ４６、Ｂ４４、Ｃ４５）と同様であるのでその説明を省略する。
【０１２４】
上述のように、本実施形態における無線通信システムでは、Ｐ−ＭＣＣＨの信号とＳ−ＭＣＣＨの信号とを階層的に用いて、複数の利用用途と、それぞれに対応するＳＴＡ  ＩＤと、それぞれの利用用途に割り当てられる多目的ＭＢＳＦＮサブフレームの割り当てを送る構成としたので、第１実施形態において行われていた「ＳＦＴ  ＩＤと利用用途との対応付けを報知する処理（ステップＳ４２、Ｃ４２）」を行わずとも多目的ＭＢＳＦＮサブフレームを用いた処理を行うことができ、ＢＣＣＨを通じた送信を減らすことにより、基地局装置１０のセルエリア内に位置する移動局装置３０の負荷を減らすことができる。
【０１２５】
なお、第１実施形態及び第２実施形態において、無線フレームにおいて多目的ＭＢＳＦＮサブフレームを割り当てるサブフレームの報知をＳＩＢ２により行っているが、単なる一例であって、いずれかのＢＣＣＨの信号により報知すればよい。
また、多目的ＭＢＳＦＮサブフレームにおいて、先頭の２ＯＦＤＭシンボルまでの参照信号がＥＵＴＲＡの送信と同じ構成で送られているとしているが、異なる構成で規定されている場合においても、ＥＵＴＲＡの送信における参照信号を用いることで、同様の処理を行うことができる。
【０１２６】
また、「８送信アンテナのＥＵＴＲＡ互換サブフレーム」は、第２実施形態において、次のように構成することができる。ここで、８送信アンテナのＥＵＴＲＡ互換サブフレームとは、Ａ−ＥＵＴＲＡにおいて追加された４本のアンテナ送信の参照信号が、ＰＤＣＣＨの信号の一部に含まれるが、ＥＵＴＲＡ移動局装置からは、従来のＥＵＴＲＡのＰＤＣＣＨと同様に受信・復調できるサブフレームである。
図７は、「８送信アンテナのＥＵＴＲＡ互換サブフレーム」を構成するサブフレーム割り当ての一例を示す概略図である。サブフレーム＃７に配置されたＳ−ＭＣＣＨ４がＥＵＴＲＡのユニキャストサブフレーム（無線フレーム＃１のサブフレーム＃１及び＃４）を割り当てるように、Ｓ−ＭＣＣＨを用いてＥＵＴＲＡのユニキャストフレームを割り当て、かつ、ＰＤＣＣＨの信号の一部にＡ−ＥＵＴＲＡにおいて追加された４本のアンテナの参照信号を含めることで、ＥＵＴＲＡと互換性を有する８本アンテナ送信を行うことができる。なお、Ｓ−ＭＣＣＨの信号により指定されたユニキャストサブフレームと、通常のユニキャストサブフレームとを区別するために、ＰＤＣＣＨに含まれるＲＮＴＩ（Radio Network Temporary Identifier；無線ネットワーク一時識別子）に予め定めた値を含むように設定してもよい。
【０１２７】
なお、移動局装置２０において、利用用途テーブル２５Ａに、ＳＦＡ  ＩＤと利用用途とを基地局装置１０からＡ−ＥＵＴＲＡ移動局に向けた専用制御メッセージとして送信して記憶させたが、予め対応付けて記憶する構成としてもよい。
【０１２８】
なお、本実施形態の構成では、Ｓ−ＭＣＣＨの信号を用いて、ＳＦＡ  ＩＤに対応する多目的ＭＢＳＦＮサブフレームを通知しているが、Ｓ−ＭＣＣＨの信号以外の信号を用いてＳＦＡ  ＩＤに対応するＭＢＳＦＮサブフレームを通知してもよい。また、Ｐ−ＭＣＣＨの信号によりＳ−ＭＣＣＨの位置を検出する構成としたが、Ｐ−ＭＣＣＨの信号によりＳＦＡ  ＩＤを示す情報を通知する構成としてもよい。
また、第１実施形態及び第２実施形態において、通信を行う一方を固定された基地局装置１０とし、他方を移動可能な移動局装置２０、３０としたが、両方が固定された装置による通信を行う構成としてもよい。
【０１２９】
上述の基地局装置１０、及び、移動局装置２０は内部に、コンピュータシステムを有していてもよい。その場合、上述した処理過程は、プログラムの形式でコンピュータ読み取り可能な記録媒体に記憶されており、このプログラムをコンピュータが読み出して実行することによって、上記処理が行われることになる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【産業上の利用可能性】
【０１３０】
この発明は、移動通信、固定通信に用いることができる。
【符号の説明】
【０１３１】
１０…基地局装置、１１…マルチキャスト制御信号生成部、１１Ａ…利用用途テーブル
１２…下りメッセージ生成部、１３…送信信号処理制御部、１４…送信信号処理部
１５…チャネルマッピング部、１６…送信帯域設定部、１７…送信部
２０…移動局装置、２１…受信帯域設定部、２２…受信部、２３…受信信号処理制御部
２４…受信信号処理部、２５…マルチキャスト処理部、２５Ａ…利用用途テーブル
２６…フレーム構成記憶部、２７…制御メッセージ処理部、２８…測定処理部
３０…移動局装置、３１…受信帯域設定部、３２…受信部、３３…受信信号処理制御部
３４…受信信号処理部、３５…制御メッセージ処理部、３６…測定処理部
【図１】
2010206285.tif 000004
【図２】
2010206285.tif 000005
【図３】
2010206285.tif 000006
【図４】
2010206285.tif 000007
【図５】
2010206285.tif 000008
【図６】
2010206285.tif 000009
【図７】
2010206285.tif 000010
【図８】
2010206285.tif 000011
【図９】
2010206285.tif 000012
【図１０】
2010206285.tif 000013
【図１１】
2010206285.tif 000014